(57)【要約】【課題】着用者の男性局部を支持可能なサポータを備えると共に、サポータによるサポート性および男性局部の安定感を向上させるようにしたパンツを提供する。【解決手段】前身頃と、後身頃と、前身頃と後身頃の間に配置されて着用者の男性局部を支持可能なサポータＳとを備えたパンツにおいて、一端（一端部Ｅ１，Ｆ１）で縫合される第１、第２の生地片Ａ，Ｂで前記サポータＳを構成すると共に、前記一端（一端部Ｅ１，Ｆ１）を大略直角二等辺三角形状に形成する。【選択図】図９
2012112083.tif 000002
【特許請求の範囲】
【請求項１】
前身頃と、後身頃と、前記前身頃と後身頃の間に配置されて着用者の男性局部を支持可能なサポータとを備えたパンツにおいて、一端で縫合される第１、第２の生地片で前記サポータを構成すると共に、前記一端を大略直角二等辺三角形状に形成したことを特徴とするパンツ。
【請求項２】
前記大略直角二等辺三角形状において頂角が形成されるべき部位を円弧状に形成したことを特徴とする請求項１記載のパンツ。
【請求項３】
前記第２の生地片は前記大略直角二等辺三角形状の底辺から連続して形成される大略台形形状部を備えると共に、前記第２の生地片の大略台形形状部の脚が形成されるべき部位を湾曲させたことを特徴とする請求項１または２記載のパンツ。
【請求項４】
前記第１、第２の生地片において前記円弧状に形成した部位の弦の長さを所定値に設定したことを特徴とする請求項２または３記載のパンツ。
【請求項５】
前記着用者を標準体型とするとき、前記所定値は５．５ｃｍあるいはその近傍の値であることを特徴とする請求項４記載のパンツ。
【請求項６】
前記第１、第２の生地片の前記円弧状に形成した部位を縫合して大略半球形状を呈する空間を形成すると共に、前記空間の直径を第２の所定値に設定したことを特徴とする請求項２から５のいずれかに記載のパンツ。
【請求項７】
前記着用者を標準体型とするとき、前記第２の所定値は３．５ｃｍあるいはその近傍の値であることを特徴とする請求項６記載のパンツ。
【請求項８】
前記第１の生地片は前記大略直角二等辺三角形状の底辺から連続して形成される大略台形形状部を備えると共に、前記第１の生地片の大略台形形状部を前記大略直角二等辺三角形状の底辺から離間するにつれて拡幅するように形成したことを特徴とする請求項１から７のいずれかに記載のパンツ。
【請求項９】
前記前身頃と前記サポータにそれぞれ前開きを形成したことを特徴とする請求項１から８のいずれかに記載のパンツ。
【請求項１０】
前記前身頃に持ち出しを有する前開きを形成すると共に、前記サポータを前記前開きの持ち出しの端部に沿って縫着したことを特徴とする請求項１から８のいずれかに記載のパンツ。
【請求項１１】
前記サポータを伸縮性を有する素材から製作することを特徴とする請求項１から１０のいずれかに記載のパンツ。
【発明の詳細な説明】
【技術分野】
【０００１】
この発明はパンツに関し、より具体的には着用者の男性局部を支持可能なサポータを備えたパンツに関する。
【背景技術】
【０００２】
従来より、男性用のパンツにおいて、男性局部の安定感を望むユーザのため、前身頃と後身頃の間に男性局部を支持可能なサポータを配置するようにした技術が提案されている（例えば特許文献１参照）。特許文献１記載の技術にあっては、サポータをパンツ本体と別の生地（例えば通気性や吸汗性などの機能を有する生地）から製作すると共に、サポータを構成する左右のあて布の外縁部にゴム紐を挿入して収縮させることで全体を椀状に形成し、そこに着用者の男性局部を収容して安定に支持するようにしている。
【先行技術文献】
【特許文献】
【０００３】
【特許文献１】実用新案登録第３１３９３０６号公報（段落００１５，００１６、図２，３など）
【発明の概要】
【発明が解決しようとする課題】
【０００４】
ところで、男性局部を安定に支持するにはサポータを男性局部の形状に即した形にすることが望ましいが、上記の如くゴム紐の収縮を利用してサポータを椀状に形成するだけではそのような形になり難い。そのため、特許文献１記載の技術にあっては、男性局部を確実かつ安定に支持できないおそれがあり、サポータによるサポート性および男性局部の安定感の向上という点で改善の余地を残していた。
【０００５】
従って、この発明の目的は上記した課題を解決し、着用者の男性局部を支持可能なサポータを備えると共に、サポータによるサポート性および男性局部の安定感を向上させるようにしたパンツを提供することにある。
【課題を解決するための手段】
【０００６】
上記の目的を解決するために、請求項１にあっては、前身頃と、後身頃と、前記前身頃と後身頃の間に配置されて着用者の男性局部を支持可能なサポータとを備えたパンツにおいて、一端で縫合される第１、第２の生地片で前記サポータを構成すると共に、前記一端を大略直角二等辺三角形状に形成するように構成した。
【０００７】
請求項２に係るパンツにあっては、前記大略直角二等辺三角形状において頂角が形成されるべき部位を円弧状に形成するように構成した。
【０００８】
請求項３に係るパンツにあっては、前記第２の生地片は前記大略直角二等辺三角形状の底辺から連続して形成される大略台形形状部を備えると共に、前記第２の生地片の大略台形形状部の脚が形成されるべき部位を湾曲させるように構成した。
【０００９】
請求項４に係るパンツにあっては、前記第１、第２の生地片において前記円弧状に形成した部位の弦の長さを所定値に設定するように構成した。
【００１０】
請求項５に係るパンツにあっては、前記着用者を標準体型とするとき、前記所定値は５．５ｃｍあるいはその近傍の値であるように構成した。
【００１１】
請求項６に係るパンツにあっては、前記第１、第２の生地片の前記円弧状に形成した部位を縫合して大略半球形状を呈する空間を形成すると共に、前記空間の直径を第２の所定値に設定するように構成した。
【００１２】
請求項７に係るパンツにあっては、前記着用者を標準体型とするとき、前記第２の所定値は３．５ｃｍあるいはその近傍の値であるように構成した。
【００１３】
請求項８に係るパンツにあっては、前記第１の生地片は前記大略直角二等辺三角形状の底辺から連続して形成される大略台形形状部を備えると共に、前記第１の生地片の大略台形形状部を前記大略直角二等辺三角形状の底辺から離間するにつれて拡幅するように形成するように構成した。
【００１４】
請求項９に係るパンツにあっては、前記前身頃と前記サポータにそれぞれ前開きを形成するように構成した。
【００１５】
請求項１０に係るパンツにあっては、前記前身頃に持ち出しを有する前開きを形成すると共に、前記サポータを前記前開きの持ち出しの端部に沿って縫着するように構成した。
【００１６】
請求項１１に係るパンツにあっては、前記サポータを伸縮性を有する素材から製作するように構成した。
【発明の効果】
【００１７】
請求項１に係るパンツにあっては、一端で縫合される第１、第２の生地片でサポータを構成すると共に、前記一端を大略直角二等辺三角形状に形成するように構成したので、第１、第２の生地片の一端の縫合部付近を男性局部の形状に即した形、具体的には凸形状（錐体形状）に形成することが可能となり、その内部の空間（スペース）に男性局部を収容することで、男性局部を確実かつ安定に支持でき、よってサポータによるサポート性および男性局部の安定感を向上させることができる。
【００１８】
尚、この明細書において、「パンツ」は下着（インナウエア）を意味するものとして用いる。また、この明細書において、「男性局部」は男性の外部生殖器を指し、基本的には陰茎および陰嚢を総称する意味で用いる。
【００１９】
請求項２に係るパンツにあっては、大略直角二等辺三角形状において頂角が形成されるべき部位を円弧状に形成するように構成したので、上記した効果に加え、第１、第２の生地片の一端の縫合部付近に形成される凸形状の頂点部分をより男性局部の形状に即した形、具体的には丸みを帯びた形にでき、それによってサポータは男性局部にフィットしてより確実かつ安定に支持することができる。
【００２０】
請求項３に係るパンツにあっては、第２の生地片は大略直角二等辺三角形状の底辺から連続して形成される大略台形形状部を備えると共に、第２の生地片の大略台形形状部の脚が形成されるべき部位を湾曲させるように構成、具体的には、第２の生地片が股間部に位置させられるときに着用者の足（太股）に接触する部位を湾曲させるように構成したので、上記した効果に加え、第２の生地片を足の付け根に沿うような形状に形成することが可能となり、よってサポータを取り付けたことによる嵩張り感などが生じることはない。
【００２１】
請求項４に係るパンツにあっては、第１、第２の生地片において円弧状に形成した部位の弦の長さを所定値に設定するように構成したので、請求項２，３で述べた効果に加え、例えば所定値を着用者の体型に応じた値に設定することで、第１、第２の生地片の一端の縫合部付近に形成される凸形状の頂点部分をより男性局部の形状に即した形にすることができる。それにより、サポータは男性局部にフィットして確実かつ安定に支持でき、サポータのサポート性および男性局部の安定感を一層向上させることができる。
【００２２】
請求項５に係るパンツにあっては、着用者を標準体型とするとき、所定値は５．５ｃｍあるいはその近傍の値であるように構成したので、請求項４で述べた効果を確実に得ることができる。
【００２３】
尚、この明細書において、「標準体型」は、着用者の体型をＪＩＳ（日本工業規格）によってＳ，Ｍ，Ｌサイズなどに分類（区分）したとき、Ｍサイズに相当する体型を意味する。具体的にＭサイズは、成人男子の身長、チェスト、ウエストの平均値を含むサイズであり、その中心値は身長１７０ｃｍ、チェスト９２ｃｍ、ウエスト８０ｃｍと規定されている。
【００２４】
請求項６に係るパンツにあっては、第１、第２の生地片の円弧状に形成した部位を縫合して大略半球形状を呈する空間を形成すると共に、その空間の直径を第２の所定値に設定するように構成したので、請求項２から５で述べた効果に加え、例えば第２の所定値を着用者の体型に応じた値に設定することで、前記した空間に男性局部を収容する際、サポータは男性局部にフィットして確実かつ安定に支持でき、サポータのサポート性および男性局部の安定感をより一層向上させることができる。
【００２５】
請求項７に係るパンツにあっては、着用者を標準体型とするとき、第２の所定値は３．５ｃｍあるいはその近傍の値であるように構成したので、請求項６で述べた効果をより確実に得ることができる。
【００２６】
請求項８に係るパンツにあっては、第１の生地片は大略直角二等辺三角形状の底辺から連続して形成される大略台形形状部を備えると共に、第１の生地片の大略台形形状部を大略直角二等辺三角形状の底辺から離間するにつれて拡幅するように形成する如く構成、換言すれば、第１の生地片の大略台形形状部の面積を増加させるように構成したので、上記した効果に加え、サポータによるフィット性は僅かに低下するものの、柔軟性に優れるため、男性局部をより確実かつ安定に支持でき、よって男性局部の安定感をより一層向上させることができる。
【００２７】
請求項９に係るパンツにあっては、前身頃とサポータにそれぞれ前開きを形成するように構成したので、上記した効果に加え、排尿時に男性局部を前開きから容易に取り出すことが可能となり、排尿動作を迅速に行うことができる。
【００２８】
請求項１０に係るパンツにあっては、前身頃に持ち出しを有する前開きを形成すると共に、サポータを前開きの持ち出しの端部に沿って縫着するように構成したので、請求項１から８で述べた効果に加え、排尿動作を迅速に行うことができる。即ち、排尿時に手を前開きから挿入する際、サポータと前開きの持ち出しの端部が縫着されていないと、それらの間に生じる隙間に手が引っ掛かって男性局部を取り出すのに手間取ることがあるが、上記の如く構成することで、そのような隙間は形成されず、手が引っ掛かることはないため、男性局部を容易に取り出すことができ、排尿動作を迅速に行うことができる。
【００２９】
請求項１１に係るパンツにあっては、サポータを伸縮性を有する素材から製作するように構成したので、上記した効果に加え、サポータは男性局部によりフィットして確実かつ安定に支持でき、サポータのサポート性および男性局部の安定感を効果的に向上させることができる。
【図面の簡単な説明】
【００３０】
【図１】この発明の第１実施例に係るパンツの正面図である。
【図２】図１に示すパンツの背面図である。
【図３】図１に示す左身頃と右身頃の裁断形状（生地片）を裏側から見た平面図である。
【図４】図１に示すサポータを拡大して裏側から見た拡大平面図と拡大左側面図である。
【図５】図４に示すサポータを表側から見た正面図である。
【図６】図４に示すサポータを表側左前方から見た斜視図である。
【図７】図４に示すサポータを裏側正面上方から見た斜視図である。
【図８】図４に示すサポータを右側面から見た斜視図である。
【図９】図４に示す第１、第２の生地片の裁断形状を示す平面図である。
【図１０】図３に示す左身頃と右身頃の一部を縫合し、そこにサポータを縫着した状態を示す展開図である。
【図１１】パンツの履き口と左右裾口が形成された状態を示し、サポータ付近を透視した斜視図である。
【図１２】図１１に示すパンツの完成した状態を真上から見た上面図である。
【図１３】図１に示すパンツを人体シルエットに対比して示す右側面図と正面図である。
【図１４】この発明の第２実施例に係るパンツの正面図である。
【図１５】図１４に示すサポータを拡大して裏側から見た、図４と同様な拡大平面図と拡大左側面図である。
【図１６】図１５に示す第１、第２の生地片の裁断形状を示す、図９と同様な平面図である。
【図１７】図１４に示すパンツのウエストゴムおよび裾始末を残し、真上から見た、図１２と同様な上面図である。
【図１８】図１４に示すパンツを人体シルエットに対比して示す、図１３と同様な右側面図と正面図である。
【図１９】この発明の第３実施例に係るパンツの正面図である。
【図２０】図１９に示す左身頃と右身頃の裁断形状（生地片）を裏側から見た、図３と同様な平面図である。
【図２１】図１９に示すサポータを拡大して裏側から見た、図４と同様な拡大平面図と拡大左側面図である。
【図２２】図２１に示す第１、第２の生地片の裁断形状を示す、図９と同様な平面図である。
【図２３】図２０に示す左身頃と右身頃の一部を縫合した状態を示す斜視図である。
【図２４】図２３に示す左右身頃を展開して第１の生地片を重ねた状態を示す展開図である。
【図２５】図２４に示す左右身頃を裏側から見たときの展開図である。
【図２６】図２５に示す左右身頃を表側から見たときの展開図である。
【図２７】図２６のXXVII−XXVII線断面図である。
【図２８】図１９に示すパンツのウエストゴムおよび裾始末を残し、真上から見た、図１２と同様な上面図である。
【図２９】この発明の第４実施例に係るパンツの正面図である。
【図３０】図２９に示すパンツの背面図である。
【図３１】図２９に示す左右身頃の裁断形状（生地片）を裏側から見た、図２０と同様な平面図である。
【図３２】図２９に示す左右前身頃の裁断形状（生地片）を裏側から見た平面図である。
【図３３】この発明の第５実施例に係るパンツの正面図である。
【図３４】図３３に示すパンツの背面図である。
【図３５】図３３に示す左前身頃および右前身頃の裁断形状（生地片）を、表側から見た平面図である。
【図３６】図３３などに示す左身頃および右身頃の裁断形状（生地片）を、表側から見た平面図である。
【図３７】図３３に示すサポータを拡大して裏側から見た、図４と同様な拡大平面図と拡大左側面図である。
【図３８】図３７に示す第１、第２の生地片の裁断形状を示す、図９と同様な平面図である。
【図３９】図３７に示すサポータを右前身頃に重ねた状態を表す斜視図である。
【図４０】図３９に示すサポータと右前身頃を左前身頃に重ねた状態を表す、図３９と同様な斜視図である。
【図４１】図４０に示す左右前身頃を裏返して表側から見た斜視図である。
【図４２】図４１のXLII−XLII線断面図である。
【図４３】図４１に示す左右前身頃とサポータに左右身頃が縫合された状態を表側から見た斜視図である。
【図４４】図４３に示す状態を裏返したときのサポータ付近の部分斜視図である。
【図４５】図４３に示すパンツの完成した状態を真上から見た、図１２と同様な上面図である。
【図４６】この発明の第６実施例に係るパンツの正面図である。
【図４７】図４６に示すパンツの背面図である。
【図４８】図４６に示すパンツの右側面図である。
【図４９】図４６などに示す左前身頃、右前身頃および後身頃の裁断形状（生地片）を、表側から見た平面図である。
【図５０】図４６などに示すサポータとクロッチ部を拡大して裏側から見た、図４と同様な拡大平面図と拡大左側面図である。
【図５１】図５０に示すサポータとクロッチ部を構成する第１、第２の生地片などの裁断形状を示す、図９と同様な平面図である。
【図５２】図５０に示すクロッチ部とサポータが重ねられる前の状態を左前方から見た斜視図である。
【図５３】図５２に示すクロッチ部とサポータが重ねられた状態を左後方から見た斜視図である。
【図５４】図４６に示すパンツのウエストゴムおよび裾始末を残し、真上から見た、図１２と同様な上面図である。
【発明を実施するための形態】
【００３１】
以下、添付図面に即してこの発明に係るパンツを実施するための形態について説明する。
【実施例１】
【００３２】
図１はこの発明の第１実施例に係るパンツの正面図であり、図２は図１に示すパンツの背面図である。
【００３３】
図１および図２において、符号Ｐ１はパンツを示す。パンツＰ１は、左身頃Ｌと、右身頃Ｒと、パンツ内部に配置されて男性局部を支持可能なサポータＳ（図１，２では見えないため破線で示す）と、履き口（ウエストライン）Ｗに縫着されたウエストゴムＷＧとからなり、主として男性が着用する前閉じトランクス型のパンツである。
【００３４】
図３は、図１，２に示す左身頃Ｌと右身頃Ｒの裁断形状（生地片）を裏側から見た平面図である。尚、この明細書において、左右あるいは前後などの記載は、着用した状態でその者にとっての左右方向あるいは前後方向を意味する。また、この明細書で「表」とは、着用されたパンツにおいて露出される部分または人体に接触しない部分を意味し、「裏」とは、被覆される部分または人体に接触する部分を意味する。
【００３５】
図３に示す如く、左右身頃Ｌ，Ｒは、一対の身頃であって左右略対称形状に裁断されてなると共に、伸縮可能な素材、例えばポリウレタン糸を含むニットおよびＹシャツ生地と同様の布帛生地からも製作される。左身頃Ｌは、後に履き口Ｗの一部となる直線辺たる上端縁１−２−３、後に後ろ中心線となる直線辺たる側端縁３−４、後に後股ぐりとなると共に、生地片の内側に湾曲されてなる端縁４−５、後に左裾口ＨＬとなる曲線辺たる下端縁５−６−７、後に端縁４−５と縫合されて後股ぐりとなる曲線辺たる端縁７−８、後に右身頃Ｒの対応する端縁（具体的には端縁８’−９’）と縫合されて前股ぐりとなる曲線辺たる端縁８−９、後に前中心線となる直線辺たる側端縁９−１を備える。
【００３６】
右身頃Ｒは、上述した左身頃Ｌの説明が大略妥当するので、同一符号にダッシュ（’）を付して説明する。右身頃Ｒは、後に履き口Ｗの一部となる直線辺たる上端縁１’−２’−３’、後に側端縁３−４と縫合されて後ろ中心線となる直線辺たる側端縁３’−４’、後に後股ぐりとなると共に、生地片の内側に湾曲されてなる端縁４’−５’、後に右裾口ＨＲとなる曲線辺たる下端縁５’−６’−７’、後に端縁４’−５’と縫合されて後股ぐりとなる曲線辺たる端縁７’−８’、後に左身頃Ｌの対応する端縁８−９と縫合されて前股ぐりとなる曲線辺たる端縁８’−９’、後に側端縁９−１と縫合されて前中心線となる直線辺たる側端縁９’−１’を備える。尚、図３において、一点鎖線で示す線分２−６はパンツＰ１完成時の左脇線部位を、線分線２’−６’は右脇線部位を表す。
【００３７】
上記の如く構成された左身頃Ｌにおいては、線１−２−６−７−８−９−１で画される部位は左前身頃ＦＬに、線２−３−４−５−６−２で画される部位は左後身頃ＢＬに相当する。右身頃Ｒにおいても同様に、線１’−２’−６’−７’−８’−９’−１’で画される部位は右前身頃ＦＲに、線２’−３’−４’−５’−６’−２’で画される部位は右後身頃ＢＲに相当する。従って、パンツＰ１完成時には左前身頃ＦＬと右前身頃ＦＲによってパンツＰ１の前身頃が形成されると共に、左後身頃ＢＬと右後身頃ＢＲによって後身頃が形成されることとなる。
【００３８】
図４はサポータＳを拡大して裏側から見た拡大平面図（図４−１）と拡大左側面図（図４−２）である。また、図５はパンツＰ１に取り付けられる前のサポータＳを表側から見た正面図、図６はサポータＳを表側左前方から見た斜視図、図７はサポータＳを裏側正面上方から見た斜視図、図８はサポータＳを右側面から見た斜視図である。
【００３９】
図４から図８に示すように、サポータＳは複数枚（具体的には２枚）の生地片、詳しくは一端で縫合される第１、第２の生地片Ａ，Ｂで構成される。各生地片Ａ，Ｂは共に、伸縮性や通気性を有する素材、編物からなるニット素材、より具体的にはメッシュ構造の素材等から製作される。
【００４０】
図９は、その第１、第２の生地片Ａ，Ｂの裁断形状を示す平面図である。
【００４１】
図９に示す如く、第１の生地片Ａは、後に第２の生地片Ｂと縫合される一端部Ｅ１と、一端部Ｅ１に連続して形成されると共に、後にパンツ本体に縫着される他端部Ｅ２とからなる。また、第２の生地片Ｂは、後に第１の生地片Ａの一端部Ｅ１と縫合される一端部Ｆ１と、一端部Ｆ１に連続して形成されると共に、後にパンツ本体に縫着される他端部Ｆ２とからなる。
【００４２】
第１の生地片Ａの一端部Ｅ１は、直線辺たる端縁２０−２１と、円弧状に形成される端縁２１−２２−２３と、直線辺たる端縁２３−２４と、他端部Ｅ２と連続する線分２４−２０とで画された部位から構成される。端縁２０−２１と端縁２３−２４は、その長さが略等しくなるように設定される。また、端縁２０−２１，２３−２４においては、想像線で示す如く、それらの外形線の延長線のなす角度ＨＡ１が約９０度（略直角）とされる。尚、この明細書において「約」または「略」などと記載したのは、素材の伸縮性の違いなどによって若干変わる、あるいは変更する場合もあるためである。
【００４３】
即ち、一端部Ｅ１は、平面視において、線分２４−２０を底辺とした大略直角二等辺三角形状に形成されると共に、大略直角二等辺三角形状において頂角ＨＡ１が形成されるべき部位ＨＡは、円弧状（凸弧状。線２１−２２−２３）に形成される。尚、ここで直角二等辺三角形状の「底辺」とは、９０度をなす頂角の対辺を意味する。
【００４４】
第１の生地片Ａの他端部Ｅ２は、前記した大略直角二等辺三角形状の底辺である線分２４−２０から連続して形成されると共に、平面視略台形形状、正確には略等脚台形形状を呈する大略台形形状部からなる。
【００４５】
詳しくは、他端部Ｅ２は、一端部Ｅ１に連続する線分２０−２４と、後にサポータＳの右側端縁ＳＲＨとなると共に、大略台形形状部の脚に相当する直線辺たる端縁２４−２５と、後に履き口Ｗに縫着されると共に、長さが線分２０−２４に比して僅かに短くなるように設定された直線辺たる上端縁２５−２６−２７と、後にサポータＳの左側端縁ＳＬＨとなると共に、大略台形形状部の脚に相当する直線辺たる端縁２７−２０とで画された部位から構成される。また、端縁２４−２５と端縁２７−２０は、その長さが略等しくなるように設計される。
【００４６】
尚、図９において、生地片Ａ，Ｂの外形線から所定距離内側の位置に、外形線と同形状の線（以下「内側線」という）が示されるが、この内側線と外形線との間は縫い代部分を表す。即ち、内側線は、理解の便宜のために、サポータＳが完成したときの仕上がり線を示すものであって、実際の生地片に線があるわけではない。
【００４７】
次いで第２の生地片Ｂについて説明すると、一端部Ｆ１は、前記した第１の生地片Ａの一端部Ｅ１と略同形状に形成される。具体的には、一端部Ｆ１は、直線辺たる端縁３０−３１と、円弧状に形成される端縁３１−３２−３３と、直線辺たる端縁３３−３４と、他端部Ｆ２と連続する線分３４−３０とで画された部位からなる。また、端縁３０−３１，３３−３４は、その長さが略等しくなるように設定されると共に、それらの外形線の延長線のなす角度ＨＢ１は約９０度（略直角）とされる。
【００４８】
即ち、一端部Ｆ１も、第１の生地片Ａの一端部Ｅ１と同様、平面視において、線分３４−３０を底辺とした大略直角二等辺三角形状に形成されると共に、大略直角二等辺三角形状において頂角ＨＢ１が形成されるべき部位ＨＢは、円弧状（凸弧状。線３１−３２−３３）に形成される。
【００４９】
ここで、第１、第２の生地片Ａ，Ｂにおいて円弧状に形成した部位、即ち、端縁２１−２２−２３および端縁３１−３２−３３について詳説すると、各端縁の曲線は曲率が略同等となるように設定される。
【００５０】
また、第１、第２の生地片Ａ，Ｂにおいて円弧状に形成した部位の弦Ｋの長さＧ１、即ち、端縁２１−２２−２３，３１−３２−３３の弦Ｋの長さＧ１（正確には、各端縁２１−２２−２３，３１−３２−３３における仕上がり線（内側線）の弦Ｋの長さＧ１）は、着用者の体型（詳しくは、着用者の男性局部の形状や大きさ等を含めた体型）を考慮して所定値に設定される。具体的には、着用者を標準体型とするとき、所定値は５．５ｃｍあるいはその近傍の値とされる。
【００５１】
また、第１、第２の生地片Ａ，Ｂにおいて、前記した弦Ｋから円弧状に形成した部位の先端（正確には、各端縁２１−２２−２３，３１−３２−３３において縫い代部分を除いた先端、即ち、仕上がり線（内側線）の先端）２２，３２までの長さＧ２も着用者の体型を考慮した値、具体的には着用者を標準体型とするとき、約１．０ｃｍに設定される。
【００５２】
第２の生地片Ｂの説明を続けると、他端部Ｆ２は、一端部Ｆ１の大略直角二等辺三角形状の底辺（線分３４−３０）から連続して形成される大略台形形状部、正確には平面視において大略等脚台形形状を呈する大略台形形状部を備えると共に、大略台形形状部の脚が形成されるべき部位（想像線Ｊで示す部位）が湾曲して形成される。
【００５３】
具体的には、他端部Ｆ２は、一端部Ｆ１に連続する線分３０−３４と、後にサポータＳの右側端縁ＳＲＨとなると共に、生地片の内側に向けて凸状に湾曲して形成される端縁３４−３５−３６と、後にパンツＰ１の後股ぐりに縫着され、サポータＳの後方端縁ＳＢとなると共に、長さが線分３０−３４に比して短くなるように設定された直線辺たる下端縁３６−３７−３８と、後にサポータＳの左側端縁ＳＬＨとなると共に、生地片の内側に向けて凸状に湾曲して形成される端縁３８−３９−３０とで画された部位から構成される。
【００５４】
端縁３４−３５−３６のうち、端縁３４−３５付近は略直線辺となるように形成されると共に、端縁３４−３５とそれに連続する一端部Ｆ１の端縁３３−３４とのなす角は約９０度とされる。尚、端縁３８−３９−３０についても同様である。
【００５５】
以上から分かるように、第１の生地片Ａ、第２の生地片Ｂはそれぞれ、一点鎖線２２−２６，３２−３７で示す線が生地片の中心であり、中心線（実際に線があるわけではない）を基準に略左右相称形状である。
【００５６】
上記の如く構成された第１、第２の生地片Ａ，Ｂの一端部Ｅ１，Ｆ１同士を縫合することで、図４から図８に示されるような形状のサポータＳができる。
【００５７】
先ず第１の生地片Ａの一端部Ｅ１の端縁（一端）２０−２１−２２−２３−２４と第２の生地片Ｂの一端部Ｆ１の端縁（一端）３０−３１−３２−３３−３４とを縫合する。正確には、端縁２０−２１と端縁３０−３１、端縁２１−２２−２３と端縁３１−３２−３３、端縁２３−２４と端縁３３−３４が重なるように位置させつつ、それらを縫合する。
【００５８】
これにより、縫合部Ｍ付近は、頂点部分ＭＴが丸みを帯びた凸形状（錐体形状）、具体的には大略円錐体形状Ｙに形成される。また、第１、第２の生地片Ａ，Ｂにおいて円弧状に形成した部位（端縁２１−２２−２３と端縁３１−３２−３３）を縫合することによってその内側には、図４に想像線で示す如く、大略半球形状を呈する空間Ｎが形成され、その空間Ｎの直径Ｄも着用者の体型を考慮して第２の所定値に設定される。具体的には、着用者を標準体型とするとき、第２の所定値は３．５ｃｍあるいはその近傍の値とされる。
【００５９】
また、第１の生地片Ａの一端部Ｅ１と第２の生地片Ｂの一端部Ｆ１は略同形状、具体的には、端縁２０−２１，２３−２４と端縁３０−３１，３３−３４の長さが略同一で、端縁２１−２２−２３と端縁３１−３２−３３の曲率が略同等であるため、図４−１に示す如く、第１の生地片Ａと第２の生地片Ｂの縫合部Ｍは、平面視において横一直線に横断するように形成される。
【００６０】
その後、第１、第２の生地片Ａ，Ｂの他端部Ｅ２，Ｆ２の端縁２５−２４，３４−３５−３６（即ち、図５などで示す右側端縁ＳＲＨ）は連続してその縫い代部分がほつれないように適宜に縫い代始末が施されると共に、同時に薄平ゴム、具体的にはポリウレタンゴムがフラットな状態で縫着される。同様に、端縁２７−２０，３０−３９−３８（左側端縁ＳＬＨ）にも縫い代始末が施される。また、他端部Ｅ２の上端縁２５−２６−２７および他端部Ｆ２の下端縁３６−３７−３８（後方端縁ＳＢ）も通常縫い代始末が施されてサポータＳが完成する。
【００６１】
このようにサポータＳを構成することで、縫合部Ｍ付近は着用者の体型（即ち、人体の曲線丸み）、換言すれば、男性局部の形状に即した凸形状（錐体形状。円錐体形状Ｙ）に形成される。
【００６２】
そして、左右身頃Ｌ，Ｒを縫い合わせつつ上記したサポータＳを取り付けることでパンツＰ１が完成する。以下、それについて説明する。
【００６３】
図１０は左身頃Ｌと右身頃Ｒの一部を縫合し、そこにサポータＳを縫着した状態を示す展開図、図１１は履き口Ｗと左右裾口ＨＬ，ＨＲが形成された状態を示し、サポータＳ付近を透視した斜視図、図１２は図１１に示すパンツＰ１の完成した状態を履き口Ｗを広げて真上から見た上面図である。尚、図において、括弧付きの数字の符号は図示上見えない箇所を示す。
【００６４】
図１０に示す如く、先ず左身頃Ｌの端縁８−９−１と右身頃Ｒの端縁８’−９’−１’を縫合して前中心線および前股ぐりが形成される。次いでサポータＳの上端縁２５−２６−２７の中心点２６を左右身頃Ｌ，Ｒの縫合点１，１’に重ねるように位置させた後、上端縁２５−２６−２７を上端縁２−（１），（１’）−２’に縫着する。
【００６５】
その後、図１１，１２に示すように、左身頃Ｌの側端縁３−４と右身頃Ｒの側端縁３’−４’とを縫合し、後中心線および上端縁１−２−３，１’−２’−３’からなる履き口Ｗが形成される。
【００６６】
そして、左身頃Ｌの端縁４−５と端縁８−７、右身頃Ｒの端縁４’−５’と端縁８’−７’を縫合して後股ぐりが形成、換言すれば、着用者の股間部の後方で縫合されて縫合部Ｍ１が形成されると共に、端縁５−６−７によって左裾口ＨＬが、端縁５’−６’−７’によって右裾口ＨＲが形成される。
【００６７】
この後股ぐり（縫合部Ｍ１）に、サポータＳの下端縁３６−３７−３８を取り付けるようにする。具体的には、図１２に良く示すように、サポータＳの下端縁３６−３７−３８（後方端縁ＳＢ）の中心点３７を左右身頃Ｌ，Ｒの縫合点４，４’，８，８’に重ねるように位置させつつ、下端縁３６−３７−３８を端縁５，７−４，４’，（８），（８’）−５’，７’からなる後股ぐりに縫着する。
【００６８】
これにより、サポータＳは、左前身頃ＦＬと右前身頃ＦＲによって構成される前身頃と、左後身頃ＢＬと右後身頃ＢＲによって構成される後身頃の間に配置される。別言すれば、サポータＳにあっては、第１の生地片Ａが着用者の腹部から股間部下方に亘って位置させられる一方、第２の生地片Ｂが股間部下方から後方に亘って位置させられる。また、サポータＳは、上端縁２５−２６−２７と下端縁３６−３７−３８（後方端縁ＳＢ）がパンツ本体（左右身頃Ｌ，Ｒ）に縫着される構成であるため、ハンモックのように揺動可能とされる。
【００６９】
尚、図１１，１２に示すパンツＰ１は、その後履き口Ｗに従来技術のウエストゴムＷＧが縫着されると共に、裾始末などが施される。
【００７０】
図１３は、サポータＳを備えるパンツＰ１を人体シルエットに対比して示す右側面図（図１３−１）と正面図（図１３−２）である。尚、図１３においては、理解の便宜のため、サポータＳを実線で示す一方、パンツＰ１の外形線は破線で、人体シルエットを二点鎖線で示す。
【００７１】
図１３から分かるように、サポータＳの縫合部Ｍ付近は着用者の体型に沿った形、換言すれば、男性局部Ｑの形状に即した、頂点部分ＭＴが丸みを帯びた凸形状（錐体形状。円錐体形状Ｙ）に形成されるため、パンツＰ１を着用すると、着用者の男性局部Ｑは円錐体形状Ｙの内部の空間におのずと確実かつ安定に収容されることとなる。
【００７２】
このように、第１実施例に係るパンツＰ１にあっては、一端（一端部Ｅ１，Ｆ１）で縫合される第１、第２の生地片Ａ，ＢでサポータＳを構成すると共に、前記一端を大略直角二等辺三角形状に形成するように構成したので、第１、第２の生地片Ａ，Ｂの一端の縫合部Ｍ付近を男性局部Ｑの形状に即した形、具体的には凸形状（錐体形状。円錐体形状Ｙ）に形成することが可能となり、その内部の空間（スペース）に男性局部Ｑを収容することで、男性局部Ｑを確実かつ安定に支持でき、よってサポータＳによるサポート性および男性局部Ｑの安定感を向上させることができる。
【００７３】
また、大略直角二等辺三角形状において頂角ＨＡ１，ＨＢ１が形成されるべき部位ＨＡ，ＨＢを円弧状に形成するように構成、換言すれば、端縁２１−２２−２３，３１−３２−３３を円弧状に形成するように構成したので、第１、第２の生地片の一端の縫合部Ｍ付近に形成される凸形状（円錐体形状Ｙ）の頂点部分ＭＴをより男性局部Ｑの形状に即した形、具体的には丸みを帯びた形にでき、それによってサポータＳは男性局部Ｑにフィットしてより確実かつ安定に支持することができる。
【００７４】
また、第２の生地片Ｂは大略直角二等辺三角形状の底辺（線分３０−３４）から連続して形成される大略台形形状部（他端部Ｆ２）を備えると共に、大略台形形状部の脚が形成されるべき部位Ｊを湾曲させるように構成、具体的には、第２の生地片Ｂが股間部に位置させられるときに着用者の足に接触する部位（端縁３４−３５−３６，３８−３９−３０）を湾曲させるように構成したので、第２の生地片Ｂを足の付け根に沿うような形状に形成することが可能となり、よってサポータＳを取り付けたことによる嵩張り感などが生じることはない。
【００７５】
また、第１、第２の生地片Ａ，Ｂにおいて円弧状に形成した部位（端縁２１−２２−２３，３１−３２−３３）の弦Ｋの長さＧ１を所定値に設定するように構成したので、例えば所定値を着用者の体型に応じた値に設定することで、第１、第２の生地片Ａ，Ｂの一端の縫合部Ｍ付近に形成される凸形状（円錐体形状Ｙ）の頂点部分ＭＴをより男性局部Ｑの形状に即した形にすることができる。それにより、サポータＳは男性局部Ｑにフィットして確実かつ安定に支持でき、サポータＳのサポート性および男性局部Ｑの安定感を一層向上させることができる。
【００７６】
また、着用者を標準体型とするとき、所定値は５．５ｃｍあるいはその近傍の値であるように構成したので、上記した効果を確実に得ることができる。
【００７７】
また、右側端縁ＳＲＨおよび左側端縁ＳＬＨに薄平ゴムをフラットな状態で縫着したことで、サポータＳはギャザー等の嵩張りもなく、サポータ端縁の形態安定とサポート性をさらに向上させることができる。
【００７８】
また、第１、第２の生地片Ａ，Ｂの円弧状に形成した部位（端縁２１−２２−２３，３１−３２−３３）を縫合して大略半球形状を呈する空間Ｎを形成すると共に、その空間Ｎの直径Ｄを第２の所定値に設定するように構成したので、例えば第２の所定値を着用者の体型に応じた値に設定することで、前記した空間Ｎに男性局部Ｑを収容する際、サポータＳは男性局部Ｑにフィットして確実かつ安定に支持でき、サポータＳのサポート性および男性局部の安定感をより一層向上させることができる。
【００７９】
また、着用者を標準体型とするとき、第２の所定値は３．５ｃｍあるいはその近傍の値であるように構成したので、上記した効果を確実に得ることができる。
【００８０】
また、サポータＳを伸縮性を有する素材から製作するように構成したので、サポータＳは男性局部Ｑによりフィットして確実かつ安定に支持でき、サポータＳのサポート性および男性局部Ｑの安定感を効果的に向上させることができる。
【実施例２】
【００８１】
次いで、この発明の第２実施例に係るパンツＰ２について説明する。
【００８２】
図１４はこの発明の第２実施例に係るパンツＰ２の正面図、図１５はパンツＰ２に取り付けられたサポータＳａを拡大して裏側から見た、図４と同様な拡大平面図と拡大左側面図、図１６はサポータＳａの第１、第２の生地片Ａａ，Ｂの裁断形状を示す、図９と同様な平面図である。尚、以下の説明において、第１実施例と共通の構成については、同一の符号を付して説明を省略する。
【００８３】
第２実施例は第１実施例のサポータＳの変形例であり、具体的には第１の生地片Ａａの他端部Ｅ２ａの形状が第１実施例の他端部Ｅ２のそれと相違する。即ち、図１５，１６に良く示す如く、大略台形形状部である他端部Ｅ２ａを大略直角二等辺三角形状の底辺（線分２０−２４）から離間するにつれて（図において上方に向けて）拡幅するように形成、別言すれば、他端部Ｅ２ａの上端縁２５−２６−２７を線分２０−２４に比して長くなるように左右方向に延長して他端部Ｅ２ａの面積を増加させるようにした（図において、延長された上端縁を符号２５ａ−２５−２６−２７−２７ａで示す）。
【００８４】
また、他端部Ｅ２ａにおいて大略台形形状部の脚に相当する端縁２４−２５ａ，２０−２７ａは、生地片の内側に向けて凸状に湾曲して形成されると共に、後にサポータＳａの右側端縁ＳＲＨａ，左側端縁ＳＬＨａとなる。
【００８５】
図１７はパンツＰ２を真上から見た、図１２と同様な上面図、図１８はパンツＰ２を人体シルエットに対比して示す、図１３と同様な右側面図と正面図である。
【００８６】
上記の如く構成された第１の生地片Ａａと第２の生地片ＢからなるサポータＳａをパンツＰ２に取り付けるときは、図１７に示すように、サポータＳａの上端縁２５ａ−２５−２６−２７−２７ａの中心点２６を左右身頃Ｌ，Ｒの縫合点１，１’に重ねるように位置させつつ、上端縁２５ａ−２５−２６−２７−２７ａを左右身頃Ｌ，Ｒの上端縁２−１，１’−２’に縫着する。そして、サポータＳａの下端縁３６−３７−３８を縫合部Ｍ１に縫い付けてパンツＰ２が完成する。
【００８７】
このように、第２実施例に係るパンツＰ２にあっては、第１の生地片Ａａは大略直角二等辺三角形状の底辺（線分２０−２４）から連続して形成される大略台形形状部（他端部Ｅ２ａ）を備えると共に、第１の生地片Ａａの大略台形形状部を大略直角二等辺三角形状の底辺（線分２０−２４）から離間するにつれて拡幅するように形成する如く構成、換言すれば、サポータＳａの前側の上端縁、具体的には、第１の生地片Ａａの他端部Ｅ２ａの上端縁２５ａ−２５−２６−２７−２７ａを左右方向に延長して（拡げて）他端部Ｅ２ａの面積を増加させるように構成したので、サポータＳａによるフィット性は僅かに低下するものの、柔軟性に優れるため、図１８に示すように男性局部Ｑをより確実かつ安定に支持でき、よって男性局部Ｑの安定感をより一層向上させることができる。
【００８８】
尚、残余の構成および効果は第１実施例と同様であるので、説明を省略する。
【実施例３】
【００８９】
図１９はこの発明の第３実施例に係るパンツＰ３の正面図である。
【００９０】
第２実施例との相違点に焦点をおいて説明すると、第３実施例にあっては、パンツＰ３の前身頃（左右前身頃ＦＬ，ＦＲ）とサポータＳｂにそれぞれ前開きＭＡｂ，ＳＡｂを形成するようにした。尚、「前開き」とは、パンツの前面に窓状に設けられる男性局部を取り出すための開口部位（前開き口）を指す。従って、パンツＰ３は主として男性が着用する前開きトランクス型である。
【００９１】
図２０は図１９に示す左身頃Ｌ３と右身頃Ｒ３の裁断形状（生地片）を裏側から見た、図３と同様な平面図、図２１はサポータＳｂを拡大して裏側から見た、図４と同様な拡大平面図と拡大左側面図、図２２はサポータＳｂの第１、第２の生地片Ａｂ，Ｂの裁断形状を示す、図９と同様な平面図である。
【００９２】
図２０に示す如く、左身頃Ｌ３には側端縁１−９から連続する見返しＬ３ｂが、右身頃Ｒ３には側端縁１’−９’から連続する持ち出しＲ３ｂが形成される。見返しＬ３ｂは、線１−９−１０−１１で画される略矩形状の部分であり、後に線分１−９を軸に内部方向に折り返されて前開きＭＡｂの外側部分となる。他方、持ち出しＲ３ｂは線１’−９’−１０’−１１’で画される略矩形状の部分であり、後に前開きＭＡｂの内側部分となる。
【００９３】
サポータＳｂについて説明すると、図２１，２２に示す如く、第１の生地片Ａｂの他端部Ｅ２ｂには、前開きＳＡｂとして機能する切込み１２−１３−１４が設けられる。切込み１２−１３−１４は、直線状を呈すると共に、他端部Ｅ２ｂの上端縁２５ａ−２５−２６−２７−２７ａの中心点２６より所定距離だけ左側に離間した位置から線分２０−２４付近に亘って形成される。正確には、切込み１２−１３−１４の長さは、見返しＬ３ｂの端縁１１−１０および持ち出しＲ３ｂの端縁１１’−１０’の長さと略同一とされる。
【００９４】
尚、図においては、切込み１２−１３−１４によって他端部Ｅ２ｂに隙間が生じているように示したが、これは理解の便宜のためであって、実際には単なる分断線で隙間があるわけでない。また、切込み１２−１３−１４を設けたことで縫い代不足が生じるが、端縁２０−２７ａにその不足分を加えて適宜に補正する。
【００９５】
上記の如く構成された左右身頃Ｌ３，Ｒ３とサポータＳｂからなるパンツＰ３の製作について以下に述べると、先ず図２３に示すように、左身頃Ｌ３の端縁８−９−１０と右身頃Ｒ３の端縁８’−９’−１０’を縫合する。これにより、開き口１１’−１０’，１０−１１が形成される。
【００９６】
図２４は図２３に示す左右身頃Ｌ３，Ｒ３を展開し、左右身頃Ｌ３，Ｒ３の表側にサポータＳｂの第１の生地片Ａｂを重ねた状態を示す展開図、図２５は左右身頃Ｌ３，Ｒ３を裏側から見たときの展開図である。
【００９７】
次いで図２４に示すように、第１の生地片Ａｂの切込み１２−１３−１４と開き口１１’−１０’，１０−１１とを縫合し、前開きＳＡｂが形成される。具体的には、第１の生地片Ａｂにおいて切込みの符号１２部分を右身頃Ｒ３の符号１１’部分に、１３部分を左右身頃Ｌ３，Ｒ３の１０，１０’部分に、１４部分を右身頃Ｒ３の１１部分に重ね合わせた後、１２，（１１’）−１３，（１０’），（１０）−１４，（１１）を連続して縫い合わせる。
【００９８】
その後、図２５に示すように、第１の生地片Ａｂが左右身頃Ｌ３，Ｒ３の裏側に来るようにする、詳しくは第１の生地片Ａｂを前開きＳＡｂを介して左右身頃Ｌ３，Ｒ３の裏側にめくり返す。そして、前開きＳＡｂの周囲にステッチ押さえ縫い始末を施す。
【００９９】
図２６は図２５に示す左右身頃Ｌ３，Ｒ３を表側から見たときの展開図、図２７は図２６のXXVII−XXVII線断面図、図２８はパンツＰ３を真上から見た、図１２と同様な上面図である。
【０１００】
左右身頃Ｌ３，Ｒ３は、図２６，２７、特に図２６に示すように、上開き止めＴＵおよび下開き止めＴＢが施されて開口部が形成されることにより、パンツＰ３の前開きＭＡｂが形成される。尚、前開きＭＡｂは排尿時の陰茎の出し入れに利用されるため、開口部の縦方向の長さはその動作が容易な値に適宜に設定される。
【０１０１】
その後、図２８に示すように、第１の生地片Ａｂと第２の生地片Ｂを縫合してサポータＳｂが形成されると共に、サポータＳｂの下端縁３６−３７−３８を縫合部Ｍ１に縫い付けるなどしてパンツＰ３が完成する。
【０１０２】
このように、第３実施例に係るパンツＰ３にあっては、前身頃（左身頃Ｌ３、右身頃Ｒ３）とサポータＳｂにそれぞれ前開きＭＡｂ，ＳＡｂを形成するように構成したので、排尿時に男性局部を前開きＭＡｂ，ＳＡｂから容易に取り出すことが可能となり、排尿動作を迅速に行うことができる。
【０１０３】
尚、残余の構成および効果は従前の実施例と同様であるので、説明を省略する。
【実施例４】
【０１０４】
図２９はこの発明の第４実施例に係るパンツＰ４の正面図、図３０はパンツＰ４の背面図である。
【０１０５】
第３実施例との相違点に焦点をおいて説明すると、第４実施例にあっては、パンツＰ４が、左右身頃Ｌ４，Ｒ４と、左右身頃Ｌ４，Ｒ４の前方の間に配置されて前開きＭＡｂを構成する左前身頃ＦＬ４および右前身頃ＦＲ４と、サポータＳｂ（図２９，３０では見えないため破線で示す）と、ウエストゴムＷＧとからなるようにした。即ち、第３実施例の左身頃Ｌ３を左身頃Ｌ４と左前身頃ＦＬ４に分けると共に、第３実施例の右身頃Ｒ３を右身頃Ｒ４と右前身頃ＦＲ４に分けるように構成した。
【０１０６】
図３１はその左右身頃Ｌ４，Ｒ４の裁断形状（生地片）を裏側から見た、図２０と同様な平面図、図３２は左右前身頃ＦＬ４，ＦＲ４の裁断形状（生地片）を裏側から見た平面図である。
【０１０７】
図３１，３２と図２０とを対比しつつ説明すると、左身頃Ｌ４には、後に左前身頃ＦＬ４が縫着される曲線辺たる端縁１５−１６−１７が形成される一方、右身頃Ｒ４にも同様に、後に右前身頃ＦＲ４が縫着される曲線辺たる端縁１５’−１６’−１７’が形成される。
【０１０８】
左前身頃ＦＬ４と右前身頃ＦＲ４は、一対の身頃であって左右略対称形状に裁断されてなる。具体的には、左前身頃ＦＬ４は、見返しＬ３ｂ、見返しＬ３ｂの上端縁１−１１と連続する、後に履き口Ｗの一部となる直線辺たる上端縁１−１５ａ、後に左身頃Ｌ４の端縁１５−１６−１７と縫合される曲線辺たる端縁１５ａ−１６ａ−１７ａ、後に後股ぐりとなる端縁１７ａ−８、後に前股ぐりとなる端縁８−９、図３２に一点鎖線で示す線分９−１（前開きＭＡｂの中心線）からなる。
【０１０９】
右前身頃ＦＲ４は、持ち出しＲ３ｂ、持ち出しＲ３ｂの上端縁１’−１１’と連続する、後に履き口Ｗの一部となる直線辺たる上端縁１’−１５ａ’、後に右身頃Ｒ４の端縁１５’−１６’−１７’と縫合される端縁１５ａ’−１６ａ’−１７ａ’、後に後股ぐりとなる端縁１７ａ’−８’、後に前股ぐりとなる端縁８’−９’、一点鎖線で示す線分９’−１’（前開きＭＡｂの中心線）からなる。
【０１１０】
そして、パンツＰ４を製作するときは、先ず左身頃Ｌ４の端縁１５−１６−１７と左前身頃ＦＬ４の端縁１５ａ−１６ａ−１７ａを縫合すると共に、右身頃Ｒ４の端縁１５’−１６’−１７’と右前身頃ＦＲ４の端縁１５ａ’−１６ａ’−１７ａ’を縫合する。これにより、第３実施例の左右身頃Ｌ３，Ｒ３の形状に類似した身頃ができる。その後は左右前身頃ＦＬ４，ＦＲ４にサポータＳｂを取り付けるなどの製作工程が行われるが、それらは第３実施例と同じである。
【０１１１】
このように、第４実施例にあっては、パンツＰ４を左右身頃Ｌ４，Ｒ４と前開きＭＡｂを構成する部位（左前身頃ＦＬ４，右前身頃ＦＲ４）から構成、換言すれば、前開きＭＡｂの付近を左右身頃Ｌ４，Ｒ４とは別の生地片から形成するように構成したので、様々な素材や配色の組み合わせが可能となり、パンツのデザイン性の自由度を向上させることができる。また、サポータＳｂを取り付ける左前身頃ＦＬ４，右前身頃ＦＲ４を別体とすることで、サポータＳｂを縫着する際の取り扱いが容易になり、作業性（製作性）も向上させることができる。
【０１１２】
尚、その他の構成、効果は第１から第３の実施例と同様であるので、説明を省略する。
【実施例５】
【０１１３】
図３３はこの発明の第５実施例に係るパンツＰ５の正面図であり、図３４は図３３に示すパンツＰ５の背面図である。
【０１１４】
第１実施例との相違点に焦点をおいて説明すると、第５実施例に係るパンツＰ５は、左右身頃Ｌ５，Ｒ５、左右身頃Ｌ５，Ｒ５の前方の間に配置されて前開きＭＡｃを構成する左前身頃ＦＬ５および右前身頃ＦＲ５の各身頃と、サポータＳｃ（図３３，３４では見えないため破線で示す）と、ウエストゴムＷＧとからなる。また、図示の如く、左身頃Ｌ５と左前身頃ＦＬ５によって左裾口ＨＬが、右身頃Ｒ５と右前身頃ＦＲ５によって右裾口ＨＲが形成される。
【０１１５】
図３５は、図３３に示す左前身頃ＦＬ５および右前身頃ＦＲ５の裁断形状（生地片）を、表側から見た平面図である。
【０１１６】
左前身頃ＦＬ５と右前身頃ＦＲ５は、一対の身頃であって左右略対称形状に裁断されてなる。左前身頃ＦＬ５は見返しＦＬ５ａを有すると共に、右前身頃ＦＲ５は持ち出しＦＲ５ａを有する。
【０１１７】
具体的には、左前身頃ＦＬ５は、見返しＦＬ５ａの上端縁４７−４８と連続する、後に履き口Ｗの一部となる直線辺たる上端縁４８−４１、後に前身頃の左側端縁線となる端縁４１−４２、後に左裾口ＨＬの一部となる直線辺たる下端縁４２−４３、後に後股ぐりとなる端縁４３−４４、後に右前身頃ＦＲ５の対応する端縁（後述する端縁４４’−４５’）と縫合され前股ぐりとなる端縁４４−４５、図３５に一点鎖線で示す線分４５−４８（前開きＭＡｃの中心線）、および見返しＦＬ５ａからなる。
【０１１８】
見返しＦＬ５ａは、前記した線分４５−４８および線４５−４６−４７−４８で画される略矩形状の部分で、この見返しＦＬ５ａは後に線分４５−４８を軸に内部方向に折り返されて前開きＭＡｃの外側部分となる。
【０１１９】
次いで右前身頃ＦＲ５について説明する。尚、上述した左前身頃ＦＬ５の説明が大略妥当するので、同一符号にダッシュ（’）を付して説明を省略すると共に、左前身頃ＦＬ５との相違点を中心に説明する。
【０１２０】
右前身頃ＦＲ５において、持ち出しＦＲ５ａは線分４５’−４６’−４７’−４８’−４５’で画される略矩形状の部分であり、後に前開きＭＡｃの内側部分となる。即ち、持ち出しＦＲ５ａは、見返しＦＬ５ａが内部方向に折り返された左前身頃ＦＬ５が、線分４５−４８と線分４５’−４８’を合わせるようにして重ねられるため、前開きＭＡｃの内側部分となる。
【０１２１】
図３６は、図３３などに示す左身頃Ｌ５および右身頃Ｒ５の裁断形状（生地片）を、表側から見た平面図である。
【０１２２】
図３６に示す如く、左右身頃Ｌ５，Ｒ５は１枚の連続した生地から製作され、後に履き口Ｗの一部となる直線辺たる上端縁５７−５８−５９−６０−４９、後に前身頃の右側端縁線となる直線辺たる端縁４９−５０、後に右裾口ＨＲの一部となる直線辺たる端縁５０−５１−５２、後に左右前身頃ＦＬ５，ＦＲ５の端縁４３−４４，４３’−４４’と縫合されて後股ぐりとなる端縁５２−５３−５４、後に左裾口ＨＬの一部となる直線辺たる端縁５４−５５−５６、後に前身頃の左側端縁線となる直線辺たる端縁５６−５７を備える。図３６において、一点鎖線で示す線分５１−６０はパンツＰ５完成時の右脇線部位を、線分５５−５８は左脇線部位を表し、線分５３−５９は後ろ中心線部位を示す。また、図３６の符号ＢＬ５は左後身頃を、ＢＲ５は右後身頃を、ＢＬＦ５は左後身頃前側を、ＢＲＦ５は右後身頃前側を表す。
【０１２３】
図３７はサポータＳｃを拡大して裏側から見た拡大平面図と拡大左側面図、図３８はサポータＳｃを構成する第１、第２の生地片Ａｃ，Ｂの裁断形状を示す平面図である。
【０１２４】
第１の生地片Ａｃにおいては、他端部Ｅ２ｃの形状が第１実施例の他端部Ｅ２のそれと相違する。即ち、他端部Ｅ２ｃは、平面視において大略台形形状を呈する台形形状部からなるが、その脚に相当する部位は直線辺と、生地片の内側に凸状に湾曲して形成される曲線辺とから構成される。
【０１２５】
具体的には、他端部Ｅ２ｃは、一端部Ｅ１に連続する線分２０−２４と、台形形状部の脚に相当し、部分的に湾曲する端縁２４−２８と、後に前身頃の右側端縁線に縫着されると共に、台形形状部の脚に相当する直線辺たる端縁２８−２５と、後に履き口Ｗに縫着されると共に、長さが線分２０−２４に比して僅かに短くなるように設定された直線辺たる上端縁２５−２６−２７と、後に持ち出しＦＲ５ａの左側の端部（端縁４７’−４６’）に沿って縫着されると共に、台形形状部の脚に相当する直線辺たる端縁２７−２９と、後にサポータＳｃの左側端縁ＳＬＨｃとなると共に、台形形状部の脚に相当する曲線辺たる端縁２９−２０とで画された部位から構成される。
【０１２６】
上記の如く構成された第１の生地片Ａｃの一端部Ｅ１の端縁（一端）２０−２１−２２−２３−２４と第２の生地片Ｂの一端部Ｆ１の端縁（一端）３０−３１−３２−３３−３４とを縫合し、図３７に示すような円錐体形状Ｙを有するサポータＳｃが完成する。
【０１２７】
その後、第１実施例と同様に、第１、第２の生地片Ａｃ，Ｂの他端部Ｅ２ｃ，Ｆ２の端縁２８−２４，３４−３５−３６（右側端縁ＳＲＨｃ）は連続してその縫い代部分がほつれないように適宜に縫い代始末が施されると共に、同時に薄平ゴムがフラットな状態で縫着される。同様に、端縁２９−２０，３０−３９−３８（左側端縁ＳＬＨｃ）にも縫い代始末が施される。また、他端部Ｆ２の下端縁３６−３７−３８（後方端縁ＳＢ）も通常縫い代始末が施される。そして、上記の如く構成されたサポータＳｃを左右前身頃ＦＬ５，ＦＲ５に縫合する。
【０１２８】
図３９は図３７に示すサポータＳｃを右前身頃ＦＲ５に重ねた状態を表す斜視図、図４０は図３９に示すサポータＳｃと右前身頃ＦＲ５を左前身頃ＦＬ５に重ねた状態を表す、図３９と同様な斜視図である。
【０１２９】
図３９に示すように、サポータＳｃの上端縁２５−２６−２７を右前身頃ＦＲ５の上端縁４１’−４８’−４７’に重ねるように位置させた後、サポータＳｃの端縁２７−２９を右前身頃ＦＲ５の端縁４７’−４６’、別言すれば、前開きＭＡｃの持ち出しＦＲＬ５ａの端部４７’−４６’に沿って縫着すると共に、サポータＳｃの端縁２５−２８を右前身頃ＦＲ５の端縁４１’−４２’に縫着する。
【０１３０】
次いで、図４０に示す如く、サポータＳｃと右前身頃ＦＲ５の上端縁２５，（４１’）−２６，（４８’）−２７，（４７’）を見返しＦＬ５ａが内部方向に折り返された左前身頃ＦＬ５の上端縁４８−４７（４１）に重ねるように位置させた後、右前身頃ＦＲ５の端縁４４’−４５’−４６’を左前身頃ＦＬ５の端縁４４−４５−４６に縫合して前股ぐりが形成される。
【０１３１】
図４１は図４０に示す左右前身頃ＦＬ５，ＦＲ５を裏返して表側から見た斜視図、図４２は図４１のXLII−XLII線断面図である。
【０１３２】
左右前身頃ＦＬ５，ＦＲ５は、図４１，４２、特に図４１に示すように、上開き止めＴＵおよび下開き止めＴＢが施されて開口部が形成されることにより、パンツＰ５の前開きＭＡｃが形成される。尚、前開きＭＡｃの長さは排尿時の陰茎の出し入れ動作が容易な値に適宜に設定される。
【０１３３】
図４３は左右前身頃ＦＬ５，ＦＲ５とサポータＳｃに左右身頃Ｌ５，Ｒ５が縫合された状態を表側から見た斜視図、図４４は図４３に示す状態を裏返したときのサポータＳｃ付近の部分斜視図である。また、図４５はパンツＰ５の完成した状態を真上から見た上面図である。
【０１３４】
図４３，４４に示す如く、左右前身頃ＦＬ５，ＦＲ５とサポータＳｃの両端を左右身頃Ｌ５，Ｒ５に縫合する。具体的に説明すると、左右前身頃ＦＬ５，ＦＲ５とサポータＳｃの端縁４１’，２５−４２’を右身頃Ｒ５の端縁４９−５０に、左右前身頃ＦＬ５，ＦＲ５とサポータＳｃの端縁４１，４７，４７’，２７−４２を左身頃Ｌ５の線分５７−５６に縫着し、前身頃の左右の端縁線が形成される。
【０１３５】
その後、図４５に示すように、左右前身頃ＦＬ５，ＦＲ５の端縁４３−４４，４４’−４３’と左右身頃Ｌ５，Ｒ５の端縁５４−５３−５２を縫合して後股ぐり（縫合部Ｍ２）が形成される。そして、第１実施例と同様、後股ぐり（縫合部Ｍ２）にサポータＳｃの下端縁３６−３７−３８を取り付ける。
【０１３６】
具体的には、サポータＳｃの下端縁３６−３７−３８の中心点３７を左右前身頃ＦＬ５，ＦＲ５と左右身頃Ｌ５，Ｒ５の縫合点４４，４４’，５３に重ねるように位置させつつ、下端縁３６−３７−３８を後股ぐりに縫着し、パンツＰ５が完成する。
【０１３７】
このように、第５実施例に係るパンツＰ５にあっては、前身頃（左前身頃ＦＬ５、右前身頃ＦＲ５）に持ち出しＦＲ５ａを有する前開きＭＡｃを形成すると共に、サポータＳｃを前開きＭＡｃの持ち出しＦＲ５ａの端部（端縁４７’−４６’）に沿って縫着するように構成したので、排尿動作を迅速に行うことができる。
【０１３８】
即ち、排尿時に手を前開きＭＡｃの開口部から挿入する際、サポータＳｃと前開きＭＡｃの持ち出しＦＲ５ａの端部（端縁４７’−４６’）が縫着されていないと、それらの間に生じる隙間に手が引っ掛かって男性局部Ｑを取り出すのに手間取ることがあるが、上記の如く構成することで、そのような隙間は形成されず、手が引っ掛かることはないため、男性局部Ｑを容易に取り出すことができ、排尿動作を迅速に行うことができる。
【０１３９】
尚、残余の構成および効果は第１実施例などと同様であるので、説明を省略する。
【実施例６】
【０１４０】
次いで、この発明の第６実施例に係るパンツＰ６について説明する。
【０１４１】
図４６はこの発明の第６実施例に係るパンツＰ６の正面図、図４７はパンツＰ６の背面図、図４８はパンツＰ６の右側面図である。以下、第１実施例と相違する部分に焦点をおいて説明する。
【０１４２】
パンツＰ６は、左右前身頃ＦＬ６，ＦＲ６と、後身頃ＢＢと、左前身頃ＦＬ６と右前身頃ＦＲ６の前方付近の間に配置されるクロッチ部ＣおよびサポータＳｄ（図４６から図４８で破線で示す）と、ウエストゴムＷＧとからなる。
【０１４３】
各身頃およびクロッチ部Ｃは伸縮自在で着圧可能な素材、例えばポリウレタン糸を含むニットから製作される。従って、パンツＰ６は着用者の体にフィットし、着用者の太股などもサポートする着圧式のブリーフ型（ボクサータイプ）であり、主として男性が着用する。また、パンツＰ６のパンツ丈はレギュラー丈であって、ウエストゴムＷＧは着用者のウエスト位置に装着される。
【０１４４】
図４９は、図４６などに示す左右前身頃ＦＬ６，ＦＲ６と後身頃ＢＢの裁断形状（生地片）を、表側から見た平面図である。
【０１４５】
図４９に示す如く、左右前身頃ＦＬ６，ＦＲ６は、一対の身頃であって左右略対称形状に裁断されてなる。左前身頃ＦＬ６は、後に履き口Ｗの一部となる曲線辺たる上端縁７６−７１、後に後身頃ＢＢと縫合されて左脇線を形成する直線辺たる側端縁７１−７２、後に左裾口ＨＬとなる直線辺たる下端縁７２−７３、後に後股ぐりとなる直線辺たる端縁７３−７４、後にクロッチ部Ｃと縫合されてクロッチ部Ｃの左側端縁線となる曲線辺たる端縁７４−７５−７６を備える。
【０１４６】
同様に、右前身頃ＦＲ６は、後に履き口Ｗの一部となる曲線辺たる上端縁７６’−７１’、後に後身頃ＢＢと縫合されて右脇線を形成する直線辺たる側端縁７１’−７２’、後に右裾口ＨＲとなる直線辺たる下端縁７２’−７３’、後に後股ぐりとなる直線辺たる端縁７３’−７４’、後にクロッチ部Ｃと縫合されてクロッチ部Ｃの右側端縁線となる曲線辺たる端縁７４’−７５’−７６’を備える。
【０１４７】
後身頃ＢＢは、後に履き口Ｗの一部となる直線辺たる上端縁８５−８６−７７、後に右前身頃ＦＲ６の側端縁７１’−７２’と縫合されて右脇線を形成する直線辺たる側端縁７７−７８、後に右裾口ＨＲとなる直線辺たる下端縁７８−７９、後に後股ぐりとなる曲線辺たる端縁７９−８０−８１−８２−８３、後に左裾口ＨＬとなる直線辺たる下端縁８３−８４、後に左前身頃ＦＬ６の側端縁７２−７１と縫合されて左脇線を形成する直線辺たる側端縁８４−８５を備える。尚、図において、符号ＢＬ６は左後身頃を、符号ＢＲ６は右後身頃を表す。
【０１４８】
図５０は図４６などに示すサポータＳｄとクロッチ部Ｃを拡大して裏側から見た拡大平面図と拡大左側面図、図５１はサポータＳｄを構成する第１、第２の生地片Ａｄ，Ｂｄとクロッチ部Ｃを構成する第１、第２の生地片Ａｄ’，Ｂｄ’の裁断形状を示す平面図である。
【０１４９】
先ずサポータＳｄについて説明すると、図５１に示す如く、第１の生地片Ａｄにおいては、一端部Ｅ１ｄの端縁２０ａ−２１，２３−２４ａの長さが、第１実施例で対応する端縁２０−２１，２３−２４のそれに比して僅かに短く設定される。
【０１５０】
第１の生地片Ａｄの他端部Ｅ２ｄは、平面視において大略台形形状を呈する台形形状部からなるが、その脚に相当する部位は生地片の内側に凸状に湾曲して形成される曲線辺のみから構成される。詳しくは、他端部Ｅ２ｄは、一端部Ｅ１ｄに連続する線分２０ａ−２４ａと、後に右前身頃ＦＲ６の端縁７４’−７５’−７６’に縫着されると共に、台形形状部の脚に相当する曲線辺たる端縁２４ａ−２５ａと、後に履き口Ｗに縫着されると共に、長さが線分２０ａ−２４ａに比して短くなるように設定された直線辺たる上端縁２５ａ−２６ａ−２７ａと、後に左前身頃ＦＬ６の端縁７４−７５−７６に縫着されると共に、台形形状部の脚に相当する曲線辺たる端縁２７ａ−２０ａとで画された部位から構成される。
【０１５１】
続いて第２の生地片Ｂｄについて説明すると、第２の生地片Ｂｄの一端部Ｆ１ｄも、第１の生地片Ａｄの一端部Ｅ１ｄと同様、端縁３０ａ−３１，３３−３４ａの長さが、第１実施例で対応する端縁３０−３１，３３−３４のそれに比して僅かに短く設定される。
【０１５２】
また、他端部Ｆ２ｄの端縁３４ａ−３５ａ−３６ａのうち、端縁３４ａから凸状の頂点である端縁３５ａまでの長さが第１実施例で対応する端縁３４−３５のそれに比して短くされる。一方、端縁３５ａ−３６ａの長さは第１実施例で対応する端縁３５−３６のそれに比して長くなるように設定される。尚、端縁３８ａ−３９ａ−３０ａについても同様である。
【０１５３】
さらに、他端部Ｆ１ｄの下端縁３６ａ−３７ａ−３８ａは、生地片の外側に向けて凸状を呈する曲線辺（円弧状）とされる。
【０１５４】
クロッチ部Ｃは、図から分かるように、サポータＳｄと略同形状とされる。従って、クロッチ部Ｃについては、サポータＳｄと対応させるべく、同一の符号にダッシュ（’）を付して説明を省略する。
【０１５５】
上記の如く構成された第１の生地片Ａｄの一端部Ｅ１ｄの端縁（一端）２０ａ−２１−２２−２３−２４ａと第２の生地片Ｂｄの一端部Ｆ１ｄの端縁（一端）３０ａ−３１−３２−３３−３４ａとを縫合し、第１実施例の縫合部Ｍと同形状の縫合部ＭＭが形成されて図５０に示すようなサポータＳｄが完成する。クロッチ部Ｃについても同様に、第１の生地片Ａｄ’の一端部Ｅ１ｄ’の端縁（一端）２０ａ’−２１’−２２’−２３’−２４ａ’と第２の生地片Ｂｄ’の一端部Ｆ１ｄ’の端縁（一端）３０ａ’−３１’−３２’−３３’−３４ａ’とを縫合し、縫合部ＭＭ’が形成されて図５０に示すようなクロッチ部Ｃが完成する。
【０１５６】
そして、上記したサポータＳｄとクロッチ部Ｃを左右前身頃ＦＬ６，ＦＲ６に取り付けることでパンツＰ６が完成する。
【０１５７】
図５２はクロッチ部ＣとサポータＳｄが重ねられる前の状態を左前方から見た斜視図、図５３は重ねられたクロッチ部ＣとサポータＳｄを左後方から見た斜視図である。また、図５４はパンツＰ６の完成した状態を真上から見た上面図である。
【０１５８】
図５２および図５３、特に図５３に示す如く、サポータＳｄの上端縁２５ａ−２６ａ−２７ａをクロッチ部Ｃの上端縁２５ａ’−２６ａ’−２７ａ’に、サポータＳｄの下端縁３６ａ−３７ａ−３８ａをクロッチ部Ｃの下端縁３６ａ’−３７ａ’−３８ａ’に重ねるように位置させた後、端縁全周を縫合してサポータＳｄとクロッチ部Ｃを一体とする。
【０１５９】
そして、一体となったサポータＳｄとクロッチ部Ｃを上記した左右前身頃ＦＬ６，ＦＲ６に縫合する。図４６から図５４を参照しつつ説明すると、先ずサポータＳｄとクロッチ部Ｃの端縁２７ａ，２７ａ’−２０ａ，３０ａ，２０ａ’，３０ａ’−３８ａ，３８ａ’を左前身頃ＦＬ６の端縁７６−７５−７４に縫着してクロッチ部Ｃの左側端縁線とすると共に、サポータＳｄとクロッチ部Ｃの端縁２５ａ，２５ａ’−２４ａ，３４ａ，２４ａ’，３４ａ’−３６ａ，３６ａ’を右前身頃ＦＲ６の端縁７６’−７５’−７４’に縫着してクロッチ部Ｃの右側端縁線とする。
【０１６０】
次いで、右前身頃ＦＲ６の端縁７３’−７４’を後身頃ＢＢの端縁７９−８０に、サポータＳｄとクロッチ部Ｃの下端縁３６ａ，３６ａ’−３７ａ，３７ａ’−３８ａ，３８ａ’を後身頃ＢＢの端縁８０−８１−８２に、左前身頃ＦＬ６の端縁７４−７３を後身頃ＢＢの端縁８２−８３に縫着して後股ぐりが形成される。尚、この後股ぐりが形成される縫合部を符号Ｍ３で示す。
【０１６１】
そして、左前身頃ＦＬ６の側端縁７１−７２と後身頃ＢＢの側端縁８５−８４を縫合し、右前身頃ＦＲ６の側端縁７１’−７２’と後身頃ＢＢの側端縁７７−７８を縫合して左右脇線が形成される。その後、履き口ＷにウエストゴムＷＧが縫着されるなどしてパンツＰ６が完成する。
【０１６２】
このように、第６実施例に係るパンツＰ６にあっては、サポータＳｄと略同形状に形成されたクロッチ部Ｃを備えるように構成したので、男性局部Ｑをより一層確実かつ安定に支持でき、よってサポータＳｄによるサポート性および男性局部の安定感をより向上させることができる。
【０１６３】
尚、残余の構成および効果は従前の実施例と同様であるので、説明を省略する。
【０１６４】
以上の如く、この発明の第１から第６実施例にあっては、前身頃（左前身頃ＦＬ，ＦＬ４，ＦＬ５，ＦＬ６と右前身頃ＦＲ，ＦＲ４，ＦＲ５，ＦＲ６）と、後身頃（第１から第４実施例では左後身頃ＢＬと右後身頃ＢＲ、第５実施例では左右身頃Ｌ５，Ｒ５の左右後身頃ＢＬ５，ＢＲ５、第６実施例では後身頃ＢＢ）と、前記前身頃と後身頃の間に配置されて着用者の男性局部Ｑを支持可能なサポータＳ，Ｓａ，Ｓｂ，Ｓｃ，Ｓｄとを備えたパンツＰ１〜６において、一端（一端部Ｅ１，Ｅ１ｄ，Ｆ１，Ｆ１ｄ）で縫合される第１、第２の生地片Ａ，Ａａ，Ａｂ，Ａｃ，Ａｄ，Ｂ，Ｂｄで前記サポータＳ，Ｓａ，Ｓｂ，Ｓｃ，Ｓｄを構成すると共に、前記一端（一端部Ｅ１，Ｅ１ｄ，Ｆ１，Ｆ１ｄ）を大略直角二等辺三角形状に形成するように構成した。
【０１６５】
また、前記大略直角二等辺三角形状において頂角ＨＡ１，ＨＢ１が形成されるべき部位ＨＡ，ＨＢを円弧状に形成するように構成した。
【０１６６】
また、前記第２の生地片Ｂ，Ｂｄは前記大略直角二等辺三角形状の底辺（線分３０−３４，３０ａ−３４ａ）から連続して形成される大略台形形状部（他端部Ｆ２，Ｆ２ｄ）を備えると共に、前記第２の生地片Ｂ，Ｂｄの大略台形形状部の脚が形成されるべき部位Ｊを湾曲させるように構成した。
【０１６７】
また、前記第１、第２の生地片Ａ，Ａａ，Ａｂ，Ａｃ，Ａｄ，Ｂ，Ｂｄにおいて前記円弧状に形成した部位（端縁２１−２２−２３，３１−３２−３３）の弦Ｋの長さＧ１を所定値に設定するように構成した。
【０１６８】
また、前記着用者を標準体型とするとき、前記所定値は５．５ｃｍあるいはその近傍の値であるように構成した。
【０１６９】
また、前記第１、第２の生地片Ａ，Ａａ，Ａｂ，Ａｃ，Ａｄ，Ｂ，Ｂｄの前記円弧状に形成した部位（端縁２１−２２−２３，３１−３２−３３）を縫合して大略半球形状を呈する空間Ｎを形成すると共に、前記空間Ｎの直径Ｄを第２の所定値に設定するように構成した。
【０１７０】
また、前記着用者を標準体型とするとき、前記第２の所定値は３．５ｃｍあるいはその近傍の値であるように構成した。
【０１７１】
また、第２実施例にあっては、前記第１の生地片Ａａは前記大略直角二等辺三角形状の底辺（線分２０−２４）から連続して形成される大略台形形状部（他端部Ｅ２ａ）を備えると共に、前記第１の生地片の大略台形形状部（他端部Ｅ２ａ）を前記大略直角二等辺三角形状の底辺（線分２０−２４）から離間するにつれて拡幅するように形成する如く構成した。
【０１７２】
また、第３実施例にあっては、前記前身頃（左前身頃ＦＬと右前身頃ＦＲ）と前記サポータＳｂにそれぞれ前開きＭＡｂ，ＳＡｂを形成するように構成した。
【０１７３】
また、この発明の第５実施例にあっては、前記前身頃（左前身頃ＦＬ５と右前身頃ＦＲ５）に持ち出しＦＲ５ａを有する前開きＭＡｃを形成すると共に、前記サポータＳｃを前記前開きＭＡｃの持ち出しＦＲ５ａの端部（端縁４７’−４６’）に沿って縫着するように構成した。
【０１７４】
また、この発明の第１から第６実施例にあっては、前記サポータＳ，Ｓａ，Ｓｂ，Ｓｃ，Ｓｄを伸縮性を有する素材から製作するように構成した。
【０１７５】
尚、上記において、前閉じ／前開きトランクス型やブリーフ型のパンツを例にとって説明したが、要は着用者の男性局部を支持可能なサポータを備えていれば、どのような形状、用途（例えばスポーツ用）のパンツであっても良く、さらにはアウタウエアとしてのパンツやズボンであっても良い。
【０１７６】
また、サポータをパンツの内部に取り付けるように構成したが、それに限られるものではなく、露出する位置に設けるようにしても良い。即ち、例えば第１の生地片Ａの他端部Ｅ２の左右の端縁（２４−２５，２７−２０）に前身頃に相当する生地片を縫い付けると共に、第２の生地片Ｂの他端部Ｆ２の下端縁（３６−３７−３８）に後身頃に相当する生地片を縫い付け、各生地片を適宜に縫合することにより、サポータが露出するように位置させても良い。
【０１７７】
また、第１から第５実施例における第２の生地片Ｂの他端部Ｆ２の下端縁３６−３７−３８や第６実施例における他端部Ｆ１ｄの下端縁３６ａ−３７ａ−３８ａ、即ち、サポータの後方端縁ＳＢを直線辺あるいは僅かに湾曲させた曲線辺としたが、その形状は図示のものに限られない。即ち、例えば後方端縁ＳＢを生地片の外側に向けてさらに凸状に湾曲するように変形させると共に、その頂点部分（具体的には下端縁３７（３７ａ）付近）を後身頃に１点で縫い止めるように構成することも可能である。
【０１７８】
また、上記において、着用者が標準体型である場合を例にとって説明したが、着用者が他の体型（他サイズ）であるときはそれに応じてサポータＳ，Ｓａ，Ｓｂ，Ｓｃ，Ｓｄの各寸法などを適宜に変更しても良い。
【０１７９】
また、サポータ、左右身頃、左右前身頃やクロッチ部などの素材を具体的に示したが、それらは例示であって限定されるものではない。
【０１８０】
また、着用者を男性に限定して説明したが、着用者が女性の場合、第１、第２の生地片における弦Ｋの長さＧ１を長くすることで対応可能としても良い。
【符号の説明】
【０１８１】
Ａ，Ａａ，Ａｂ，Ａｃ，Ａｄ  第１の生地片、Ｂ，Ｂｄ  第２の生地片、ＢＢ  後身頃、ＢＬ，ＢＬ５  左後身頃（後身頃）、ＢＲ，ＢＲ５  右後身頃（後身頃）、Ｅ１，Ｅ１ｄ，Ｆ１，Ｆ１ｄ  一端部（一端）、Ｅ２ａ  他端部（大略台形形状部）、Ｆ２，Ｆ２ｄ  他端部（大略台形形状部）、ＦＬ，ＦＬ４，ＦＬ５，ＦＬ６  左前身頃（前身頃）、ＦＲ，ＦＲ４，ＦＲ５，ＦＲ６  右前身頃（前身頃）、ＦＲ５ａ  持ち出し、ＨＡ１，ＨＢ１  （大略直角二等辺三角形状の）頂角、Ｋ  弦、Ｌ５  左身頃（後身頃）、ＭＡｂ，ＭＡｃ  前開き、Ｎ  空間、Ｐ１〜６  パンツ、Ｑ  男性局部、Ｒ５  右身頃（後身頃）、Ｓ，Ｓａ，Ｓｂ，Ｓｃ，Ｓｄ  サポータ、ＳＡｂ  前開き
【図１】
2012112083.tif 000003
【図２】
2012112083.tif 000004
【図３】
2012112083.tif 000005
【図４】
2012112083.tif 000006
【図５】
2012112083.tif 000007
【図６】
2012112083.tif 000008
【図７】
2012112083.tif 000009
【図８】
2012112083.tif 000010
【図９】
2012112083.tif 000011
【図１０】
2012112083.tif 000012
【図１１】
2012112083.tif 000013
【図１２】
2012112083.tif 000014
【図１３】
2012112083.tif 000015
【図１４】
2012112083.tif 000016
【図１５】
2012112083.tif 000017
【図１６】
2012112083.tif 000018
【図１７】
2012112083.tif 000019
【図１８】
2012112083.tif 000020
【図１９】
2012112083.tif 000021
【図２０】
2012112083.tif 000022
【図２１】
2012112083.tif 000023
【図２２】
2012112083.tif 000024
【図２３】
2012112083.tif 000025
【図２４】
2012112083.tif 000026
【図２５】
2012112083.tif 000027
【図２６】
2012112083.tif 000028
【図２７】
2012112083.tif 000029
【図２８】
2012112083.tif 000030
【図２９】
2012112083.tif 000031
【図３０】
2012112083.tif 000032
【図３１】
2012112083.tif 000033
【図３２】
2012112083.tif 000034
【図３３】
2012112083.tif 000035
【図３４】
2012112083.tif 000036
【図３５】
2012112083.tif 000037
【図３６】
2012112083.tif 000038
【図３７】
2012112083.tif 000039
【図３８】
2012112083.tif 000040
【図３９】
2012112083.tif 000041
【図４０】
2012112083.tif 000042
【図４１】
2012112083.tif 000043
【図４２】
2012112083.tif 000044
【図４３】
2012112083.tif 000045
【図４４】
2012112083.tif 000046
【図４５】
2012112083.tif 000047
【図４６】
2012112083.tif 000048
【図４７】
2012112083.tif 000049
【図４８】
2012112083.tif 000050
【図４９】
2012112083.tif 000051
【図５０】
2012112083.tif 000052
【図５１】
2012112083.tif 000053
【図５２】
2012112083.tif 000054
【図５３】
2012112083.tif 000055
【図５４】
2012112083.tif 000056
【手続補正書】
【提出日】平成23年4月22日(2011.4.22)
【手続補正１】
【補正対象書類名】特許請求の範囲
【補正対象項目名】全文
【補正方法】変更
【補正の内容】
【特許請求の範囲】
【請求項１】
前身頃と、後身頃と、前記前身頃と後身頃の間に配置されて着用者の男性局部を支持可能なサポータとを備えたパンツにおいて、一端で縫合される第１、第２の生地片で前記サポータを構成すると共に、前記縫合される第１、第２の生地片の一端をそれぞれ、長さが等しく設定された第１、第２の直線辺と、前記第１、第２の直線辺に連続して円弧状に形成される部位とを備える大略直角二等辺三角形状に形成し、かつ前記第１、第２の直線辺の延長線のなす角度が直角となるように構成したことを特徴とするパンツ。
【請求項２】
前記第２の生地片は前記大略直角二等辺三角形状の底辺から連続して形成される大略台形形状部を備えると共に、前記第２の生地片の大略台形形状部の脚が形成されるべき部位を湾曲させたことを特徴とする請求項１記載のパンツ。
【請求項３】
前記第１、第２の生地片において前記円弧状に形成した部位の弦の長さを所定値に設定したことを特徴とする請求項１または２記載のパンツ。
【請求項４】
前記着用者を標準体型とするとき、前記所定値は５．５ｃｍあるいはその近傍の値であることを特徴とする請求項３記載のパンツ。
【請求項５】
前記第１、第２の生地片の前記円弧状に形成した部位を縫合して大略半球形状を呈する空間を形成すると共に、前記空間の直径を第２の所定値に設定したことを特徴とする請求項１から４のいずれかに記載のパンツ。
【請求項６】
前記着用者を標準体型とするとき、前記第２の所定値は３．５ｃｍあるいはその近傍の値であることを特徴とする請求項５記載のパンツ。
【請求項７】
前記第１の生地片は前記大略直角二等辺三角形状の底辺から連続して形成される大略台形形状部を備えると共に、前記第１の生地片の大略台形形状部を前記大略直角二等辺三角形状の底辺から離間するにつれて拡幅するように形成したことを特徴とする請求項１から６のいずれかに記載のパンツ。
【請求項８】
前記前身頃と前記サポータにそれぞれ前開きを形成したことを特徴とする請求項１から７のいずれかに記載のパンツ。
【請求項９】
前記前身頃に持ち出しを有する前開きを形成すると共に、前記サポータの端縁を前記前開きの持ち出しの端部に沿って縫着したことを特徴とする請求項１から７のいずれかに記載のパンツ。
【請求項１０】
前記サポータを伸縮性を有する素材から製作することを特徴とする請求項１から９のいずれかに記載のパンツ。
【手続補正２】
【補正対象書類名】明細書
【補正対象項目名】０００６
【補正方法】変更
【補正の内容】
【０００６】
上記の目的を解決するために、請求項１にあっては、前身頃と、後身頃と、前記前身頃と後身頃の間に配置されて着用者の男性局部を支持可能なサポータとを備えたパンツにおいて、一端で縫合される第１、第２の生地片で前記サポータを構成すると共に、前記縫合される第１、第２の生地片の一端をそれぞれ、長さが等しく設定された第１、第２の直線辺と、前記第１、第２の直線辺に連続して円弧状に形成される部位とを備える大略直角二等辺三角形状に形成し、かつ前記第１、第２の直線辺の延長線のなす角度が直角となるように構成した。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
請求項２に係るパンツにあっては、前記第２の生地片は前記大略直角二等辺三角形状の底辺から連続して形成される大略台形形状部を備えると共に、前記第２の生地片の大略台形形状部の脚が形成されるべき部位を湾曲させるように構成した。
【手続補正５】
【補正対象書類名】明細書
【補正対象項目名】０００９
【補正方法】変更
【補正の内容】
【０００９】
請求項３に係るパンツにあっては、前記第１、第２の生地片において前記円弧状に形成した部位の弦の長さを所定値に設定するように構成した。
【手続補正６】
【補正対象書類名】明細書
【補正対象項目名】００１０
【補正方法】変更
【補正の内容】
【００１０】
請求項４に係るパンツにあっては、前記着用者を標準体型とするとき、前記所定値は５．５ｃｍあるいはその近傍の値であるように構成した。
【手続補正７】
【補正対象書類名】明細書
【補正対象項目名】００１１
【補正方法】変更
【補正の内容】
【００１１】
請求項５に係るパンツにあっては、前記第１、第２の生地片の前記円弧状に形成した部位を縫合して大略半球形状を呈する空間を形成すると共に、前記空間の直径を第２の所定値に設定するように構成した。
【手続補正８】
【補正対象書類名】明細書
【補正対象項目名】００１２
【補正方法】変更
【補正の内容】
【００１２】
請求項６に係るパンツにあっては、前記着用者を標準体型とするとき、前記第２の所定値は３．５ｃｍあるいはその近傍の値であるように構成した。
【手続補正９】
【補正対象書類名】明細書
【補正対象項目名】００１３
【補正方法】変更
【補正の内容】
【００１３】
請求項７に係るパンツにあっては、前記第１の生地片は前記大略直角二等辺三角形状の底辺から連続して形成される大略台形形状部を備えると共に、前記第１の生地片の大略台形形状部を前記大略直角二等辺三角形状の底辺から離間するにつれて拡幅するように形成するように構成した。
【手続補正１０】
【補正対象書類名】明細書
【補正対象項目名】００１４
【補正方法】変更
【補正の内容】
【００１４】
請求項８に係るパンツにあっては、前記前身頃と前記サポータにそれぞれ前開きを形成するように構成した。
【手続補正１１】
【補正対象書類名】明細書
【補正対象項目名】００１５
【補正方法】変更
【補正の内容】
【００１５】
請求項９に係るパンツにあっては、前記前身頃に持ち出しを有する前開きを形成すると共に、前記サポータの端縁を前記前開きの持ち出しの端部に沿って縫着するように構成した。
【手続補正１２】
【補正対象書類名】明細書
【補正対象項目名】００１６
【補正方法】変更
【補正の内容】
【００１６】
請求項１０に係るパンツにあっては、前記サポータを伸縮性を有する素材から製作するように構成した。
【手続補正１３】
【補正対象書類名】明細書
【補正対象項目名】００１７
【補正方法】変更
【補正の内容】
【００１７】
請求項１に係るパンツにあっては、一端で縫合される第１、第２の生地片でサポータを構成すると共に、縫合される第１、第２の生地片の一端をそれぞれ、長さが等しく設定された第１、第２の直線辺と、第１、第２の直線辺に連続して円弧状に形成される部位とを備える大略直角二等辺三角形状に形成し、かつ第１、第２の直線辺の延長線のなす角度が直角となるように構成したので、第１、第２の生地片の一端の縫合部付近を男性局部の形状に即した形、具体的には凸形状（錐体形状）に形成することが可能となり、その内部の空間（スペース）に男性局部を収容することで、男性局部を確実かつ安定に支持でき、よってサポータによるサポート性および男性局部の安定感を向上させることができる。
【手続補正１４】
【補正対象書類名】明細書
【補正対象項目名】００１９
【補正方法】変更
【補正の内容】
【００１９】
また、第１、第２の生地片の一端をそれぞれ、円弧状に形成される部位を備える大略直角二等辺三角形状に形成するように構成したので、第１、第２の生地片の一端の縫合部付近に形成される凸形状の頂点部分をより男性局部の形状に即した形、具体的には丸みを帯びた形にでき、それによってサポータは男性局部にフィットしてより確実かつ安定に支持することができる。
【手続補正１５】
【補正対象書類名】明細書
【補正対象項目名】００２０
【補正方法】変更
【補正の内容】
【００２０】
請求項２に係るパンツにあっては、第２の生地片は大略直角二等辺三角形状の底辺から連続して形成される大略台形形状部を備えると共に、第２の生地片の大略台形形状部の脚が形成されるべき部位を湾曲させるように構成、具体的には、第２の生地片が股間部に位置させられるときに着用者の足（太股）に接触する部位を湾曲させるように構成したので、上記した効果に加え、第２の生地片を足の付け根に沿うような形状に形成することが可能となり、よってサポータを取り付けたことによる嵩張り感などが生じることはない。
【手続補正１６】
【補正対象書類名】明細書
【補正対象項目名】００２１
【補正方法】変更
【補正の内容】
【００２１】
請求項３に係るパンツにあっては、第１、第２の生地片において円弧状に形成した部位の弦の長さを所定値に設定するように構成したので、上記した効果に加え、例えば所定値を着用者の体型に応じた値に設定することで、第１、第２の生地片の一端の縫合部付近に形成される凸形状の頂点部分をより男性局部の形状に即した形にすることができる。それにより、サポータは男性局部にフィットして確実かつ安定に支持でき、サポータのサポート性および男性局部の安定感を一層向上させることができる。
【手続補正１７】
【補正対象書類名】明細書
【補正対象項目名】００２２
【補正方法】変更
【補正の内容】
【００２２】
請求項４に係るパンツにあっては、着用者を標準体型とするとき、所定値は５．５ｃｍあるいはその近傍の値であるように構成したので、請求項３で述べた効果を確実に得ることができる。
【手続補正１８】
【補正対象書類名】明細書
【補正対象項目名】００２４
【補正方法】変更
【補正の内容】
【００２４】
請求項５に係るパンツにあっては、第１、第２の生地片の円弧状に形成した部位を縫合して大略半球形状を呈する空間を形成すると共に、その空間の直径を第２の所定値に設定するように構成したので、上記した効果に加え、例えば第２の所定値を着用者の体型に応じた値に設定することで、前記した空間に男性局部を収容する際、サポータは男性局部にフィットして確実かつ安定に支持でき、サポータのサポート性および男性局部の安定感をより一層向上させることができる。
【手続補正１９】
【補正対象書類名】明細書
【補正対象項目名】００２５
【補正方法】変更
【補正の内容】
【００２５】
請求項６に係るパンツにあっては、着用者を標準体型とするとき、第２の所定値は３．５ｃｍあるいはその近傍の値であるように構成したので、請求項５で述べた効果をより確実に得ることができる。
【手続補正２０】
【補正対象書類名】明細書
【補正対象項目名】００２６
【補正方法】変更
【補正の内容】
【００２６】
請求項７に係るパンツにあっては、第１の生地片は大略直角二等辺三角形状の底辺から連続して形成される大略台形形状部を備えると共に、第１の生地片の大略台形形状部を大略直角二等辺三角形状の底辺から離間するにつれて拡幅するように形成する如く構成、換言すれば、第１の生地片の大略台形形状部の面積を増加させるように構成したので、上記した効果に加え、サポータによるフィット性は僅かに低下するものの、柔軟性に優れるため、男性局部をより確実かつ安定に支持でき、よって男性局部の安定感をより一層向上させることができる。
【手続補正２１】
【補正対象書類名】明細書
【補正対象項目名】００２７
【補正方法】変更
【補正の内容】
【００２７】
請求項８に係るパンツにあっては、前身頃とサポータにそれぞれ前開きを形成するように構成したので、上記した効果に加え、排尿時に男性局部を前開きから容易に取り出すことが可能となり、排尿動作を迅速に行うことができる。
【手続補正２２】
【補正対象書類名】明細書
【補正対象項目名】００２８
【補正方法】変更
【補正の内容】
【００２８】
請求項９に係るパンツにあっては、前身頃に持ち出しを有する前開きを形成すると共に、サポータの端縁を前開きの持ち出しの端部に沿って縫着するように構成したので、請求項１から７で述べた効果に加え、排尿動作を迅速に行うことができる。即ち、排尿時に手を前開きから挿入する際、サポータと前開きの持ち出しの端部が縫着されていないと、それらの間に生じる隙間に手が引っ掛かって男性局部を取り出すのに手間取ることがあるが、上記の如く構成することで、そのような隙間は形成されず、手が引っ掛かることはないため、男性局部を容易に取り出すことができ、排尿動作を迅速に行うことができる。
【手続補正２３】
【補正対象書類名】明細書
【補正対象項目名】００２９
【補正方法】変更
【補正の内容】
【００２９】
請求項１０に係るパンツにあっては、サポータを伸縮性を有する素材から製作するように構成したので、上記した効果に加え、サポータは男性局部によりフィットして確実かつ安定に支持でき、サポータのサポート性および男性局部の安定感を効果的に向上させることができる。
【手続補正２４】
【補正対象書類名】明細書
【補正対象項目名】００３６
【補正方法】変更
【補正の内容】
【００３６】
右身頃Ｒは、上述した左身頃Ｌの説明が大略妥当するので、同一符号にダッシュ（’）を付して説明する。右身頃Ｒは、後に履き口Ｗの一部となる直線辺たる上端縁１’−２’−３’、後に側端縁３−４と縫合されて後ろ中心線となる直線辺たる側端縁３’−４’、後に後股ぐりとなると共に、生地片の内側に湾曲されてなる端縁４’−５’、後に右裾口ＨＲとなる曲線辺たる下端縁５’−６’−７’、後に端縁４’−５’と縫合されて後股ぐりとなる曲線辺たる端縁７’−８’、後に左身頃Ｌの対応する端縁８−９と縫合されて前股ぐりとなる曲線辺たる端縁８’−９’、後に側端縁９−１と縫合されて前中心線となる直線辺たる側端縁９’−１’を備える。尚、図３において、一点鎖線で示す線分２−６はパンツＰ１完成時の左脇線部位を、線分２’−６’は右脇線部位を表す。
【手続補正２５】
【補正対象書類名】明細書
【補正対象項目名】０１６４
【補正方法】変更
【補正の内容】
【０１６４】
以上の如く、この発明の第１から第６実施例にあっては、前身頃（左前身頃ＦＬ，ＦＬ４，ＦＬ５，ＦＬ６と右前身頃ＦＲ，ＦＲ４，ＦＲ５，ＦＲ６）と、後身頃（第１から第４実施例では左後身頃ＢＬと右後身頃ＢＲ、第５実施例では左右身頃Ｌ５，Ｒ５の左右後身頃ＢＬ５，ＢＲ５、第６実施例では後身頃ＢＢ）と、前記前身頃と後身頃の間に配置されて着用者の男性局部Ｑを支持可能なサポータＳ，Ｓａ，Ｓｂ，Ｓｃ，Ｓｄとを備えたパンツＰ１〜６において、一端（一端部Ｅ１，Ｅ１ｄ，Ｆ１，Ｆ１ｄ）で縫合される第１、第２の生地片Ａ，Ａａ，Ａｂ，Ａｃ，Ａｄ，Ｂ，Ｂｄで前記サポータＳ，Ｓａ，Ｓｂ，Ｓｃ，Ｓｄを構成すると共に、前記縫合される第１、第２の生地片の一端（一端部Ｅ１，Ｅ１ｄ，Ｆ１，Ｆ１ｄ）をそれぞれ、長さが等しく設定された第１、第２の直線辺（一端部Ｅ１（Ｅ１ｄ）の端縁２０（２０ａ）−２１と端縁２３−２４（２４ａ）、および一端部Ｆ１（Ｆ１ｄ）の端縁３０（３０ａ）−３１と端縁３３−３４（３４ａ））と、前記第１、第２の直線辺に連続して円弧状に形成される部位（一端部Ｅ１，Ｅ１ｄの端縁２１−２２−２３、および一端部Ｆ１，Ｆ１ｄの端縁３１−３２−３３）とを備える大略直角二等辺三角形状に形成し、かつ前記第１、第２の直線辺の延長線のなす角度ＨＡ１，ＨＢ１が直角となるように構成した。
【手続補正２６】
【補正対象書類名】明細書
【補正対象項目名】０１６５
【補正方法】削除
【補正の内容】
【手続補正２７】
【補正対象書類名】明細書
【補正対象項目名】０１７３
【補正方法】変更
【補正の内容】
【０１７３】
また、この発明の第５実施例にあっては、前記前身頃（左前身頃ＦＬ５と右前身頃ＦＲ５）に持ち出しＦＲ５ａを有する前開きＭＡｃを形成すると共に、前記サポータＳｃの端縁２７−２９を前記前開きＭＡｃの持ち出しＦＲ５ａの端部（端縁４７’−４６’）に沿って縫着するように構成した。
【手続補正２８】
【補正対象書類名】明細書
【補正対象項目名】０１８１
【補正方法】変更
【補正の内容】
【０１８１】
Ａ，Ａａ，Ａｂ，Ａｃ，Ａｄ  第１の生地片、Ｂ，Ｂｄ  第２の生地片、ＢＢ  後身頃、ＢＬ，ＢＬ５  左後身頃（後身頃）、ＢＲ，ＢＲ５  右後身頃（後身頃）、Ｅ１，Ｅ１ｄ，Ｆ１，Ｆ１ｄ  一端部（一端）、Ｅ２ａ  他端部（大略台形形状部）、Ｆ２，Ｆ２ｄ  他端部（大略台形形状部）、ＦＬ，ＦＬ４，ＦＬ５，ＦＬ６  左前身頃（前身頃）、ＦＲ，ＦＲ４，ＦＲ５，ＦＲ６  右前身頃（前身頃）、ＦＲ５ａ  持ち出し、ＨＡ１，ＨＢ１  （大略直角二等辺三角形状の）頂角（第１、第２の直線辺の延長線のなす角度）、Ｋ  弦、Ｌ５  左身頃（後身頃）、ＭＡｂ，ＭＡｃ  前開き、Ｎ  空間、Ｐ１〜６  パンツ、Ｑ  男性局部、Ｒ５  右身頃（後身頃）、Ｓ，Ｓａ，Ｓｂ，Ｓｃ，Ｓｄ  サポータ、ＳＡｂ  前開き、２０（２０ａ）−２１  一端部Ｅ１（Ｅ１ｄ）の端縁（第１の直線辺）、２１−２２−２３  一端部Ｅ１，Ｅ１ｄの端縁（円弧状に形成される部位）、２３−２４（２４ａ）  一端部Ｅ１（Ｅ１ｄ）の端縁（第２の直線辺）、２７−２９  サポータＳｃの端縁、３０（３０ａ）−３１  一端部Ｆ１（Ｆ１ｄ）の端縁（第１の直線辺）、３１−３２−３３  一端部Ｆ１，Ｆ１ｄの端縁（円弧状に形成される部位）、３３−３４（３４ａ）  一端部Ｆ１（Ｆ１ｄ）の端縁（第２の直線辺）
【手続補正書】
【提出日】平成23年11月7日(2011.11.7)
【手続補正１】
【補正対象書類名】特許請求の範囲
【補正対象項目名】全文
【補正方法】変更
【補正の内容】
【特許請求の範囲】
【請求項１】
前身頃と、後身頃と、前記前身頃と後身頃の間に配置されて着用者の男性局部を支持可能なサポータとを備えたパンツにおいて、一端で縫合される第１、第２の生地片で前記サポータを構成すると共に、前記第１の生地片を着用者の腹部相当部位から股間部相当部位の下方に亘って位置させる一方、前記第２の生地片を着用者の股間部相当部位の下方から後方に亘って位置させると共に、前記縫合される第１、第２の生地片の一端をそれぞれ、長さが等しく設定された第１、第２の直線辺と、前記第１、第２の直線辺に連続して円弧状に形成される部位とを備える直角二等辺三角形状に形成し、かつ前記第１、第２の直線辺の延長線のなす角度が直角となるように構成し、さらに前記第２の生地片は前記直角二等辺三角形状の底辺から連続して形成される台形形状部を備えると共に、前記第２の生地片において前記第１の直線辺と前記第１の直線辺に連続する前記台形形状部の端縁とのなす角度と、前記第２の直線辺と前記第２の直線辺に連続する前記台形形状部の端縁とのなす角度とが共に直角となり、よって前記第１、第２の生地片の前記第１の直線辺同士を縫合し、前記第１、第２の生地片の前記第２の直線辺同士を縫合し、前記第１、第２の生地片の前記円弧状に形成される部位同士を縫合することで、着用されるときに前記サポータの内部に頂点部分が半球形状を呈する錐体形状の空間が形成されるように構成したことを特徴とするパンツ。
【請求項２】
前記第２の生地片の台形形状部の脚が形成されるべき部位を湾曲させたことを特徴とする請求項１記載のパンツ。
【請求項３】
前記第１、第２の生地片において前記円弧状に形成した部位の弦の長さを所定値に設定したことを特徴とする請求項１または２記載のパンツ。
【請求項４】
前記着用者を標準体型とするとき、前記所定値は５．５ｃｍあるいはその近傍の値であることを特徴とする請求項３記載のパンツ。
【請求項５】
前記半球形状の直径を第２の所定値に設定したことを特徴とする請求項１から４のいずれかに記載のパンツ。
【請求項６】
前記着用者を標準体型とするとき、前記第２の所定値は３．５ｃｍあるいはその近傍の値であることを特徴とする請求項５記載のパンツ。
【請求項７】
前記第１の生地片は前記直角二等辺三角形状の底辺から連続して形成される台形形状部を備えると共に、前記第１の生地片の台形形状部を前記直角二等辺三角形状の底辺から離間するにつれて拡幅するように形成したことを特徴とする請求項１から６のいずれかに記載のパンツ。
【請求項８】
前記前身頃と前記サポータにそれぞれ前開きを形成したことを特徴とする請求項１から７のいずれかに記載のパンツ。
【請求項９】
前記前身頃に持ち出しを有する前開きを形成すると共に、前記サポータの端縁を前記前開きの持ち出しの端部に沿って縫着したことを特徴とする請求項１から７のいずれかに記載のパンツ。
【請求項１０】
前記サポータを伸縮性を有する素材から製作することを特徴とする請求項１から９のいずれかに記載のパンツ。
【手続補正２】
【補正対象書類名】明細書
【補正対象項目名】０００６
【補正方法】変更
【補正の内容】
【０００６】
上記の目的を解決するために、請求項１にあっては、前身頃と、後身頃と、前記前身頃と後身頃の間に配置されて着用者の男性局部を支持可能なサポータとを備えたパンツにおいて、一端で縫合される第１、第２の生地片で前記サポータを構成すると共に、前記第１の生地片を着用者の腹部相当部位から股間部相当部位の下方に亘って位置させる一方、前記第２の生地片を着用者の股間部相当部位の下方から後方に亘って位置させると共に、前記縫合される第１、第２の生地片の一端をそれぞれ、長さが等しく設定された第１、第２の直線辺と、前記第１、第２の直線辺に連続して円弧状に形成される部位とを備える直角二等辺三角形状に形成し、かつ前記第１、第２の直線辺の延長線のなす角度が直角となるように構成し、さらに前記第２の生地片は前記直角二等辺三角形状の底辺から連続して形成される台形形状部を備えると共に、前記第２の生地片において前記第１の直線辺と前記第１の直線辺に連続する前記台形形状部の端縁とのなす角度と、前記第２の直線辺と前記第２の直線辺に連続する前記台形形状部の端縁とのなす角度とが共に直角となり、よって前記第１、第２の生地片の前記第１の直線辺同士を縫合し、前記第１、第２の生地片の前記第２の直線辺同士を縫合し、前記第１、第２の生地片の前記円弧状に形成される部位同士を縫合することで、着用されるときに前記サポータの内部に頂点部分が半球形状を呈する錐体形状の空間が形成されるように構成した。
【手続補正３】
【補正対象書類名】明細書
【補正対象項目名】０００８
【補正方法】変更
【補正の内容】
【０００８】
請求項２に係るパンツにあっては、前記第２の生地片の台形形状部の脚が形成されるべき部位を湾曲させるように構成した。
【手続補正４】
【補正対象書類名】明細書
【補正対象項目名】００１１
【補正方法】変更
【補正の内容】
【００１１】
請求項５に係るパンツにあっては、前記半球形状の直径を第２の所定値に設定するように構成した。
【手続補正５】
【補正対象書類名】明細書
【補正対象項目名】００１３
【補正方法】変更
【補正の内容】
【００１３】
請求項７に係るパンツにあっては、前記第１の生地片は前記直角二等辺三角形状の底辺から連続して形成される台形形状部を備えると共に、前記第１の生地片の台形形状部を前記直角二等辺三角形状の底辺から離間するにつれて拡幅するように形成するように構成した。
【手続補正６】
【補正対象書類名】明細書
【補正対象項目名】００１７
【補正方法】変更
【補正の内容】
【００１７】
請求項１に係るパンツにあっては、一端で縫合される第１、第２の生地片でサポータを構成すると共に、第１の生地片を着用者の腹部相当部位から股間部相当部位の下方に亘って位置させる一方、第２の生地片を着用者の股間部相当部位の下方から後方に亘って位置させると共に、縫合される第１、第２の生地片の一端をそれぞれ、長さが等しく設定された第１、第２の直線辺と、第１、第２の直線辺に連続して円弧状に形成される部位とを備える直角二等辺三角形状に形成し、かつ第１、第２の直線辺の延長線のなす角度が直角となるように構成し、さらに第２の生地片は直角二等辺三角形状の底辺から連続して形成される台形形状部を備えると共に、第２の生地片において第１の直線辺と第１の直線辺に連続する台形形状部の端縁とのなす角度と、第２の直線辺と第２の直線辺に連続する台形形状部の端縁とのなす角度とが共に直角となり、よって第１、第２の生地片の第１の直線辺同士を縫合し、第１、第２の生地片の第２の直線辺同士を縫合し、第１、第２の生地片の円弧状に形成される部位同士を縫合することで、着用されるときにサポータの内部に頂点部分が半球形状を呈する錐体形状の空間が形成されるように構成したので、第１、第２の生地片の一端の縫合部付近を男性局部の形状に即した形、具体的には凸形状（錐体形状）に形成することが可能となり、その内部の空間（スペース）に男性局部を収容することで、男性局部を確実かつ安定に支持でき、よってサポータによるサポート性および男性局部の安定感を向上させることができる。
【手続補正７】
【補正対象書類名】明細書
【補正対象項目名】００１９
【補正方法】変更
【補正の内容】
【００１９】
また、第１、第２の生地片の一端をそれぞれ、円弧状に形成される部位を備える直角二等辺三角形状に形成するように構成したので、第１、第２の生地片の一端の縫合部付近に形成される凸形状の頂点部分をより男性局部の形状に即した形、具体的には丸みを帯びた形にでき、それによってサポータは男性局部にフィットしてより確実かつ安定に支持することができる。
【手続補正８】
【補正対象書類名】明細書
【補正対象項目名】００２０
【補正方法】変更
【補正の内容】
【００２０】
請求項２に係るパンツにあっては、第２の生地片の台形形状部の脚が形成されるべき部位を湾曲させるように構成、具体的には、第２の生地片が股間部に位置させられるときに着用者の足（太股）に接触する部位を湾曲させるように構成したので、上記した効果に加え、第２の生地片を足の付け根に沿うような形状に形成することが可能となり、よってサポータを取り付けたことによる嵩張り感などが生じることはない。
【手続補正９】
【補正対象書類名】明細書
【補正対象項目名】００２４
【補正方法】変更
【補正の内容】
【００２４】
請求項５に係るパンツにあっては、半球形状の直径を第２の所定値に設定するように構成したので、上記した効果に加え、例えば第２の所定値を着用者の体型に応じた値に設定することで、前記した空間に男性局部を収容する際、サポータは男性局部にフィットして確実かつ安定に支持でき、サポータのサポート性および男性局部の安定感をより一層向上させることができる。
【手続補正１０】
【補正対象書類名】明細書
【補正対象項目名】００２６
【補正方法】変更
【補正の内容】
【００２６】
請求項７に係るパンツにあっては、第１の生地片は直角二等辺三角形状の底辺から連続して形成される台形形状部を備えると共に、第１の生地片の台形形状部を直角二等辺三角形状の底辺から離間するにつれて拡幅するように形成する如く構成、換言すれば、第１の生地片の台形形状部の面積を増加させるように構成したので、上記した効果に加え、サポータによるフィット性は僅かに低下するものの、柔軟性に優れるため、男性局部をより確実かつ安定に支持でき、よって男性局部の安定感をより一層向上させることができる。
【手続補正１１】
【補正対象書類名】明細書
【補正対象項目名】０１６４
【補正方法】変更
【補正の内容】
【０１６４】
以上の如く、この発明の第１から第６実施例にあっては、前身頃（左前身頃ＦＬ，ＦＬ４，ＦＬ５，ＦＬ６と右前身頃ＦＲ，ＦＲ４，ＦＲ５，ＦＲ６）と、後身頃（第１から第４実施例では左後身頃ＢＬと右後身頃ＢＲ、第５実施例では左右身頃Ｌ５，Ｒ５の左右後身頃ＢＬ５，ＢＲ５、第６実施例では後身頃ＢＢ）と、前記前身頃と後身頃の間に配置されて着用者の男性局部Ｑを支持可能なサポータＳ，Ｓａ，Ｓｂ，Ｓｃ，Ｓｄとを備えたパンツＰ１〜６において、一端（一端部Ｅ１，Ｅ１ｄ，Ｆ１，Ｆ１ｄ）で縫合される第１、第２の生地片Ａ，Ａａ，Ａｂ，Ａｃ，Ａｄ，Ｂ，Ｂｄで前記サポータＳ，Ｓａ，Ｓｂ，Ｓｃ，Ｓｄを構成すると共に、前記第１の生地片Ａ，Ａａ，Ａｂ，Ａｃ，Ａｄを着用者の腹部相当部位から股間部相当部位の下方に亘って位置させる一方、前記第２の生地片Ｂ，Ｂｄを着用者の股間部相当部位の下方から後方に亘って位置させると共に、前記縫合される第１、第２の生地片の一端（一端部Ｅ１，Ｅ１ｄ，Ｆ１，Ｆ１ｄ）をそれぞれ、長さが等しく設定された第１、第２の直線辺（一端部Ｅ１（Ｅ１ｄ）の端縁２０（２０ａ）−２１と端縁２３−２４（２４ａ）、および一端部Ｆ１（Ｆ１ｄ）の端縁３０（３０ａ）−３１と端縁３３−３４（３４ａ））と、前記第１、第２の直線辺に連続して円弧状に形成される部位（一端部Ｅ１，Ｅ１ｄの端縁２１−２２−２３、および一端部Ｆ１，Ｆ１ｄの端縁３１−３２−３３）とを備える直角二等辺三角形状に形成し、かつ前記第１、第２の直線辺の延長線のなす角度ＨＡ１，ＨＢ１が直角となるように構成し、さらに前記第２の生地片Ｂ，Ｂｄは前記直角二等辺三角形状の底辺（線分３０−３４，３０ａ−３４ａ）から連続して形成される台形形状部（他端部Ｆ２，Ｆ２ｄ）を備えると共に、前記第２の生地片Ｂ，Ｂｄにおいて前記第１の直線辺（一端部Ｆ１（Ｆ１ｄ）の端縁３０（３０ａ）−３１）と前記第１の直線辺に連続する前記台形形状部の端縁（他端部Ｆ２（Ｆ２ｄ）の端縁３９（３９ａ）−３０（３０ａ））とのなす角度と、前記第２の直線辺（一端部Ｆ１（Ｆ１ｄ）の端縁３３−３４（３４ａ））と前記第２の直線辺に連続する前記台形形状部の端縁（他端部Ｆ２（Ｆ２ｄ）の端縁３４（３４ａ）−３５（３５ａ））とのなす角度とが共に直角となり、よって前記第１、第２の生地片の前記第１の直線辺同士（一端部Ｅ１（Ｅ１ｄ）の端縁２０（２０ａ）−２１と一端部Ｆ１（Ｆ１ｄ）の端縁３０（３０ａ）−３１）を縫合し、前記第１、第２の生地片の前記第２の直線辺同士（一端部Ｅ１（Ｅ１ｄ）の端縁２３−２４（２４ａ）と一端部Ｆ１（Ｆ１ｄ）の端縁３３−３４（３４ａ））を縫合し、前記第１、第２の生地片の前記円弧状に形成される部位同士（一端部Ｅ１（Ｅ１ｄ）の端縁２１−２２−２３と一端部Ｆ１（Ｆ１ｄ）の３１−３２−３３）を縫合することで、着用されるときに前記サポータＳ，Ｓａ，Ｓｂ，Ｓｃ，Ｓｄの内部に頂点部分が半球形状（空間Ｎ）を呈する錐体形状の空間が形成されるように構成した。
【手続補正１２】
【補正対象書類名】明細書
【補正対象項目名】０１６６
【補正方法】変更
【補正の内容】
【０１６６】
また、前記第２の生地片Ｂ，Ｂｄの台形形状部の脚が形成されるべき部位Ｊを湾曲させるように構成した。
【手続補正１３】
【補正対象書類名】明細書
【補正対象項目名】０１６９
【補正方法】変更
【補正の内容】
【０１６９】
また、前記半球形状（空間Ｎ）の直径Ｄを第２の所定値に設定するように構成した。
【手続補正１４】
【補正対象書類名】明細書
【補正対象項目名】０１７１
【補正方法】変更
【補正の内容】
【０１７１】
また、第２実施例にあっては、前記第１の生地片Ａａは前記直角二等辺三角形状の底辺（線分２０−２４）から連続して形成される台形形状部（他端部Ｅ２ａ）を備えると共に、前記第１の生地片の台形形状部（他端部Ｅ２ａ）を前記直角二等辺三角形状の底辺（線分２０−２４）から離間するにつれて拡幅するように形成する如く構成した。
【手続補正１５】
【補正対象書類名】明細書
【補正対象項目名】０１８１
【補正方法】変更
【補正の内容】
【０１８１】
Ａ，Ａａ，Ａｂ，Ａｃ，Ａｄ  第１の生地片、Ｂ，Ｂｄ  第２の生地片、ＢＢ  後身頃、ＢＬ，ＢＬ５  左後身頃（後身頃）、ＢＲ，ＢＲ５  右後身頃（後身頃）、Ｅ１，Ｅ１ｄ，Ｆ１，Ｆ１ｄ  一端部（一端）、Ｅ２ａ  他端部（台形形状部）、Ｆ２，Ｆ２ｄ  他端部（台形形状部）、ＦＬ，ＦＬ４，ＦＬ５，ＦＬ６  左前身頃（前身頃）、ＦＲ，ＦＲ４，ＦＲ５，ＦＲ６  右前身頃（前身頃）、ＦＲ５ａ  持ち出し、ＨＡ１，ＨＢ１  （直角二等辺三角形状の）頂角（第１、第２の直線辺の延長線のなす角度）、Ｋ  弦、Ｌ５  左身頃（後身頃）、ＭＡｂ，ＭＡｃ  前開き、Ｎ  空間、Ｐ１〜６  パンツ、Ｑ  男性局部、Ｒ５  右身頃（後身頃）、Ｓ，Ｓａ，Ｓｂ，Ｓｃ，Ｓｄ  サポータ、ＳＡｂ  前開き、２０（２０ａ）−２１  一端部Ｅ１（Ｅ１ｄ）の端縁（第１の直線辺）、２１−２２−２３  一端部Ｅ１，Ｅ１ｄの端縁（円弧状に形成される部位）、２３−２４（２４ａ）  一端部Ｅ１（Ｅ１ｄ）の端縁（第２の直線辺）、２７−２９  サポータＳｃの端縁、３０（３０ａ）−３１  一端部Ｆ１（Ｆ１ｄ）の端縁（第１の直線辺）、３１−３２−３３  一端部Ｆ１，Ｆ１ｄの端縁（円弧状に形成される部位）、３３−３４（３４ａ）  一端部Ｆ１（Ｆ１ｄ）の端縁（第２の直線辺）、３４（３４ａ）−３５（３５ａ）  （第２の生地片の第２の直線辺に連続する）台形形状部の端縁、３９（３９ａ）−３０（３０ａ）  （第２の生地片の第１の直線辺に連続する）台形形状部の端縁